(57)【要約】      （修正有）【課題】動物の背部に装着される支持体によって支持されながら、動物の腹部に装着される動物用の吸収性物品であって、装着時に動物が動いたりするような場合でも、吸収性物品が動物の前後方向に縮み難く、動物の排泄物を外部へ漏出し難くすることのできる吸収性物品を提供するものである。【解決手段】吸収性物品１は、動物の背部に装着される支持体２によって支持されながら、動物の腹部に装着される動物用の吸収性物品１であって、長手方向及び幅方向の各々の中央軸線が交わる中央部を含む位置に配置された吸収体１３と、長手方向の両端部の各々において前記幅方向に延在し且つ前記支持体２に対して着脱自在に係合する係合部１７、１８とを有し、前記係合部１７、１８の各々は、前記吸収体１３の幅方向長さ以上の幅方向長さを有する、前記吸収性物品である。【選択図】図７
2019110861.tif 000002
【特許請求の範囲】
【請求項１】
動物の背部に装着される支持体によって支持されながら、動物の腹部に装着される動物用の吸収性物品であって、
前記吸収性物品は、平面視にて、装着時に動物の胴周り方向に対応する長手方向と、前記長手方向と直交し且つ装着時に動物の前後方向に対応する幅方向とを有するとともに、前記長手方向及び前記幅方向の各々の中央軸線が交わる中央部を含む位置に配置された吸収体と、前記長手方向の両端部の各々において前記幅方向に延在し且つ前記支持体に対して着脱自在に係合する係合部とを有し、
前記係合部の各々は、前記吸収体の幅方向長さ以上の幅方向長さを有する、前記吸収性物品。
【請求項２】
前記吸収性物品は、厚さ方向において、装着時に動物の胴体に対向する胴体対向面と、前記胴体対向面とは反対側の胴体非対向面とを有していて、
前記係合部の各々は、前記胴体非対向面に配置されている、請求項１に記載の吸収性物品。
【請求項３】
前記吸収性物品は、厚さ方向において、装着時に動物の胴体に対向する胴体対向面と、前記胴体対向面とは反対側の胴体非対向面とを有していて、前記係合部の各々は、前記胴体対向面に配置されている、請求項１に記載の吸収性物品。
【請求項４】
前記吸収性物品は、厚さ方向において、装着時に動物の胴体に対向する胴体対向面と、前記胴体対向面とは反対側の胴体非対向面とを有していて、
前記長手方向の両端部の各々に配置された前記係合部のうち、一方の前記係合部は前記胴体非対向面に配置され、他方の前記係合部は前記胴体対向面に配置されている、請求項１に記載の吸収性物品。
【請求項５】
前記係合部の各々は、前記長手方向の両端部において、それぞれ前記吸収性物品の長手方向端縁を含む位置に配置されている、請求項１〜４のいずれか一項に記載の吸収性物品。
【請求項６】
前記吸収性物品は、平面視にて、前記吸収体と前記係合部との間に相対的に剛性の低い低剛性部を有する、請求項１〜５のいずれか一項に記載の吸収性物品。
【請求項７】
前記吸収性物品は、前記吸収体と前記係合部とが厚さ方向に重なる重複部を有する、請求項１〜５のいずれか一項に記載の吸収性物品。
【請求項８】
前記係合部の各々は、フック部材によって形成されている、請求項１〜７のいずれか一項に記載の吸収性物品。
【請求項９】
請求項１〜８のいずれか一項に記載の吸収性物品と、前記支持体とを含む、動物用の排泄物処理セット。
【請求項１０】
請求項１〜７のいずれか一項に記載の吸収性物品と、前記支持体とを含む、動物用の排泄物処理セットであって、
前記支持体は、平面視にて、装着時に動物の胴周り方向に対応する第１方向と、前記第１方向と直交し且つ装着時に動物の前後方向に対応する第２方向とを有するとともに、厚さ方向において、装着時に動物の胴体に対向する胴体対向面と、前記胴体対向面とは反対側の胴体非対向面とを有し、
さらに、前記支持体は、前記第１方向の両端部の前記胴体対向面においてそれぞれ前記第２方向に延在し且つ前記吸収性物品の対応する前記係合部の各々と着脱自在に係合する、フック部材からなる支持体側係合部を有する、前記排泄物処理セット。
【請求項１１】
請求項１〜７のいずれか一項に記載の吸収性物品と、前記支持体とを含む、動物用の排泄物処理セットであって、
前記支持体は、平面視にて、装着時に動物の胴周り方向に対応する第１方向と、前記第１方向と直交し且つ装着時に動物の前後方向に対応する第２方向とを有するとともに、厚さ方向において、装着時に動物の胴体に対向する胴体対向面と、前記胴体対向面とは反対側の胴体非対向面とを有し、
さらに、前記支持体は、前記第１方向の両端部の前記胴体非対向面においてそれぞれ前記第２方向に延在し且つ前記吸収性物品の対応する前記係合部の各々と着脱自在に係合する、フック部材からなる支持体側係合部を有する、前記排泄物処理セット。
【請求項１２】
前記支持体側係合部の各々は、前記第１方向の両端部において、それぞれ前記支持体の第１方向端縁を含む位置に配置されている、請求項１０又は１１に記載の排泄物処理セット。
【発明の詳細な説明】
【技術分野】
【０００１】
本発明は、ペット用使い捨ておむつ等の、動物の腹部に装着される動物用の吸収性物品であって、特に、動物の背部に装着される支持体によって支持されながら用いられる動物用の吸収性物品に関する。
【背景技術】
【０００２】
犬や猫などのペットが排泄した排泄物を吸収して保持するための動物用の吸収性物品として、動物の排泄口を覆うようにして動物の腹部に配置される使い捨ておむつが知られている。
【０００３】
そのような動物用の吸収性物品として、例えば、特許文献１には、ペットの腹部だけを覆う紙おむつと、それをペットに固定するための専用サスペンダーが開示されている。この特許文献１に開示された紙おむつ及び専用サスペンダーによれば、紙おむつのみを使い捨てとし、サスペンダーは繰り返し利用できるため、コストを軽減することができる等の利点があるとされている。
【先行技術文献】
【特許文献】
【０００４】
【特許文献１】特開２００７−３３０２４６号公報
【発明の概要】
【発明が解決しようとする課題】
【０００５】
しかしながら、この特許文献１に開示された紙おむつでは、上述の専用サスペンダーが紙おむつの長手方向の両端部をそれぞれ幅方向（すなわち、動物の前後方向に対応する方向）に離間する２つのクリップで保持するものであるため、紙おむつ及びサスペンダーの装着時に動物が動いたりすると、サスペンダーの２つのクリップが動物の前後方向において互いに近づくようにずれてしまい、それに伴って２つのクリップに保持された紙おむつも、皺や襞を寄せ集めながら動物の前後方向に縮められてしまう虞があった。特に、紙おむつの吸収体がこのように動物の前後方向に縮められて、ヨレや潰れが生じてしまうと、吸収体の吸収性能が十分に発揮されないばかりか、紙おむつに動物の胴周り方向に沿った複数の大きな皺や襞が形成されてしまい、動物の腹部表面と紙おむつとの間に隙間が形成され易くなるため、かかる隙間を介して動物の排泄物が外部へ漏出し易くなる。
【０００６】
そこで、本発明は、動物の背部に装着される支持体によって支持されながら、動物の腹部に装着される動物用の吸収性物品であって、装着時に動物が動いたりするような場合でも、吸収性物品が動物の前後方向に縮み難く、動物の排泄物を外部へ漏出し難くすることのできる吸収性物品を提供することを目的とする。
【課題を解決するための手段】
【０００７】
本発明の一態様（態様１）は、動物の背部に装着される支持体によって支持されながら、動物の腹部に装着される動物用の吸収性物品であって、
前記吸収性物品は、平面視にて、装着時に動物の胴周り方向に対応する長手方向と、前記長手方向と直交し且つ装着時に動物の前後方向に対応する幅方向とを有するとともに、前記長手方向及び前記幅方向の各々の中央軸線が交わる中央部を含む位置に配置された吸収体と、前記長手方向の両端部の各々において前記幅方向に延在し且つ前記支持体に対して着脱自在に係合する係合部とを有し、
前記係合部の各々は、前記吸収体の幅方向長さ以上の幅方向長さを有する、前記吸収性物品である。
【０００８】
本態様の吸収性物品は、長手方向の両端部の各々において幅方向に延在する係合部の各々が、吸収体の幅方向長さ以上の幅方向長さを有しているため、かかる係合部において、幅方向の剛性（具体的には、幅方向に圧縮するように掛かる力に抗する剛性）を少なくとも吸収体の幅方向長さ以上の範囲で確保し易くなり、吸収性物品の装着時に動物が動いたりしても、吸収性物品を動物の前後方向に縮み難くし、吸収体の幅方向（すなわち、動物の前後方向に対応する方向）におけるヨレや潰れを生じ難くすることができる。これにより、本態様の吸収性物品は、装着時において、吸収体の吸収性能を十分に発揮させることができるばかりか、吸収性物品に動物の胴周り方向に沿った複数の大きな皺や襞が形成され難くなり、動物の腹部表面と吸収性物品との間に皺や襞に起因する隙間が形成され難くなるため、吸収性物品が動物の腹部に密着した状態を維持し易く、結果的に動物の排泄物が外部へ漏出し難くなる。
【０００９】
なお、本明細書においては、吸収性物品や支持体等の対象物が所定の方向（例えば、幅方向等）に複数の皺や襞を寄せ集めながら縮むことを「ヨレる」と称し、このように縮む変形を「ヨレ」と称することがある。
【００１０】
また、本発明の別の態様（態様２）では、上記態様１の吸収性物品において、前記吸収性物品は、厚さ方向において、装着時に動物の胴体に対向する胴体対向面と、前記胴体対向面とは反対側の胴体非対向面とを有していて、前記係合部の各々は、前記胴体非対向面に配置されている。
【００１１】
本態様の吸収性物品は、係合部が胴体非対向面に配置されているため、吸収性物品と支持体を動物の胴体に装着する際に、支持体が吸収性物品の胴体非対向面における係合部を背部側から覆い隠すように係合することとなり、かかる吸収性物品を装着された動物や他の動物が吸収性物品を剥がし難くなるとともに、吸収性物品の長手方向（すなわち、動物の胴周り方向に対応する方向）の両端部が動物の胴体表面に対して相対的に近位側に位置することで、動物から排出された尿などの排泄物が吸収性物品を伝って動物の胴周り方向に拡散したとしても、当該排泄物を外部に漏出し難くすることができる。これにより、本態様の吸収性物品は、上述の排泄物の漏出をより安定的且つ確実に生じ難くすることができる。
【００１２】
本発明の更に別の態様（態様３）では、上記態様１の吸収性物品において、前記吸収性物品は、厚さ方向において、装着時に動物の胴体に対向する胴体対向面と、前記胴体対向面とは反対側の胴体非対向面とを有していて、前記係合部の各々は、前記胴体対向面に配置されている。
【００１３】
本態様の吸収性物品は、係合部が胴体対向面に配置されているため、吸収性物品と支持体を動物の胴体に装着する際に、支持体を動物の背部に配置してから、吸収性物品を動物の腹部から胴周りに沿わせて配置し、係合部を支持体の胴体非対向面に係合させることとなり、動物の毛を支持体で押さえながら吸収性物品を係合固定することで、吸収性物品と支持体の係合部分に動物の毛を巻き込まないようにして吸収性物品を動物の腹部に装着することができる。これにより、本態様の吸収性物品は、動物の腹部に対してより精度よく、より的確に装着することができ、動物の排泄物の漏出を更に生じ難くすることができる。
【００１４】
本発明の更に別の態様（態様４）では、上記態様１の吸収性物品において、前記吸収性物品は、厚さ方向において、装着時に動物の胴体に対向する胴体対向面と、前記胴体対向面とは反対側の胴体非対向面とを有していて、前記長手方向の両端部の各々に配置された前記係合部のうち、一方の前記係合部は前記胴体非対向面に配置され、他方の前記係合部は前記胴体対向面に配置されている。
【００１５】
本態様の吸収性物品は、一方の係合部が胴体非対向面に配置され、他方の係合部が胴体対向面に配置されているため、例えば、寝たきり等の横たわった状態の動物に対して吸収性物品と支持体を装着する際に、吸収性物品の胴体非対向面に配置された一方の係合部が横たわった状態の動物の胴体の下側に位置するように装着することで、動物の胴体の下側においては、吸収性物品の長手方向における一方の端部が動物の胴体表面に対して相対的に近位側に位置し、動物から排出された尿などの排泄物が吸収性物品を伝って動物の胴体の下側へ向かって拡散したとしても、当該排泄物を外部に漏出し難くすることができる一方、横たわった状態の動物の胴体の上側においては、吸収性物品の胴体対向面に配置された他方の係合部が支持体の胴体非対向面に係合されることで、横たわった状態の動物の胴体に対する吸収性物品の密着状態や締め付け状態、位置等を調節し易く、より適切な状態で吸収性物品を動物の胴体に装着することができる。これにより、本態様の吸収性物品は、寝たきり等の横たわった状態の動物に対しても、吸収性物品を適切に装着することができ、上述の吸収性物品によって奏される作用効果を的確且つ効果的に発揮することができる。
【００１６】
本発明の更に別の態様（態様５）では、上記態様１〜４のいずれかの吸収性物品において、前記係合部の各々は、前記長手方向の両端部において、それぞれ前記吸収性物品の長手方向端縁を含む位置に配置されている。
【００１７】
本態様の吸収性物品は、係合部がそれぞれ吸収性物品の長手方向端縁を含む位置に配置されているため、吸収性物品の装着時に、長手方向端縁の捲れ及びそれに起因する吸収性物品の位置ずれや剥落等を更に生じ難くすることができる。これにより、本態様の吸収性物品は、上述の吸収性物品によって奏される作用効果や機能を、より長期にわたって安定的に発揮することができる。
【００１８】
本発明の更に別の態様（態様６）では、上記態様１〜５のいずれかの吸収性物品において、前記吸収性物品は、平面視にて、前記吸収体と前記係合部との間に相対的に剛性の低い低剛性部を有する。
【００１９】
本態様の吸収性物品は、平面視にて、吸収体と係合部の間に低剛性部を有しているため、吸収性物品の装着時において、動物の動作等によって吸収性物品に掛かる力や変形を、かかる低剛性部が変形することによって緩衝することができる。これにより、本態様の吸収性物品は、装着時において動物の腹部に密着した状態を維持し易く、また、吸収性物品の位置ずれをより生じ難くすることができるため、上述の吸収性物品による作用効果を更に安定的に発揮することができる。
【００２０】
本発明の更に別の態様（態様７）では、上記態様１〜５のいずれかの吸収性物品において、前記吸収性物品は、前記吸収体と前記係合部とが厚さ方向に重なる重複部を有する。
【００２１】
本態様の吸収性物品は、吸収体と係合部が厚さ方向に重なる重複部を有しているため、吸収性物品及び支持体の装着時に、支持体から重複部を介して吸収性物品の吸収体に至るまで、動物の胴周り方向に沿って連続的に所定の剛性（具体的には、動物の前後方向に圧縮するように掛かる力に抗する剛性）を確保し易く、吸収性物品を動物の前後方向に更に縮み難くすることができる。これにより、本態様の吸収性物品は、排泄物の漏出をより確実に生じ難くすることができる。
【００２２】
本発明の更に別の態様（態様８）では、上記態様１〜７のいずれかの吸収性物品において、前記係合部の各々は、フック部材によって形成されている。
【００２３】
本態様の吸収性物品は、係合部がフック部材によって形成されているため、相対的に剛性の高いフック部材によって係合部の剛性を確保し易くなり、吸収性物品を動物の前後方向に更に縮み難くすることができる。
さらに、吸収性物品の係合部がフック部材によって形成されていると、当該フック部材と係合する支持体の係合部（支持体側係合部）が、フック部材の係合突起を受け入れる受容部材（例えば、ループ部材等）によって形成されることとなり、かかる受容部材は、通常、フック部材と比べて、繰り返し行われる係合部材の着脱動作に対して耐久性が高い（すなわち、構造破壊を生じ難い）ため、上述の支持体をより長期にわたって繰り返し使用することができるという利点もある。
なお、係合部がフック部材によって形成された吸収性物品は、使用される度に廃棄されるものであるため、吸収性物品を動物に装着する際は、通常、新しい吸収性物品のフック部材が支持体側係合部（例えば、ループ部材等の受容部材）と係合することとなり、上述の吸収性物品によって奏される作用効果を安定的に発揮することができる。
【００２４】
本発明の更に別の態様（態様９）では、上記態様１〜８のいずれかの吸収性物品と、前記支持体とを含む、動物用の排泄物処理セットである。
【００２５】
本態様の排泄物処理セットによれば、吸収性物品として上記態様１〜８のいずれかの吸収性物品を用いていて、吸収性物品が動物の前後方向に縮み難く、吸収性物品に動物の胴周り方向に沿った複数の大きな皺や襞が形成され難くなっているため、動物の腹部表面と吸収性物品との間に皺や襞に起因する隙間が形成され難く、結果的に排泄物を外部へ漏出し難くすることができる。
【００２６】
本発明の更に別の態様（態様１０）では、上記態様１〜７のいずれかの吸収性物品と、前記支持体とを含む、動物用の排泄物処理セットであって、
前記支持体は、平面視にて、装着時に動物の胴周り方向に対応する第１方向と、前記第１方向と直交し且つ装着時に動物の前後方向に対応する第２方向とを有するとともに、厚さ方向において、装着時に動物の胴体に対向する胴体対向面と、前記胴体対向面とは反対側の胴体非対向面とを有し、
さらに、前記支持体は、前記第１方向の両端部の前記胴体対向面においてそれぞれ前記第２方向に延在し且つ前記吸収性物品の対応する前記係合部の各々と着脱自在に係合する、フック部材からなる支持体側係合部を有する、前記排泄物処理セットである。
【００２７】
本態様の排泄物処理セットは、支持体が第１方向の両端部の胴体対向面において支持体側係合部を有しているため、吸収性物品と支持体を動物の胴体に装着する際に、支持体の支持体側係合部が吸収性物品の胴体非対向面における係合部を背部側から覆い隠すように係合することとなり、かかる吸収性物品を装着された動物や他の動物が吸収性物品を剥がし難くなるとともに、吸収性物品の長手方向（すなわち、動物の胴周り方向に対応する方向）の両端部が動物の胴体表面に対して相対的に近位側に位置することで、動物から排出された尿などの排泄物が吸収性物品を伝って動物の胴周り方向に拡散したとしても、当該排泄物を外部に漏出し難くすることができる。
さらに、本態様の排泄物処理セットは、支持体側係合部が第２方向（すなわち、動物の前後方向に対応する方向）に延在するフック部材からなるため、相対的に剛性の高いフック部材によって支持体側係合部の第２方向における剛性を確保し易く、かかる支持体側係合部に係合固定される吸収性物品を動物の前後方向に更に縮み難くすることができる。
以上より、本態様の排泄物処理セットは、動物の排泄物の漏出をより安定的且つ確実に生じ難くすることができる。
【００２８】
本発明の更に別の態様（態様１１）では、上記態様１〜７のいずれかの吸収性物品と、前記支持体とを含む、動物用の排泄物処理セットであって、
前記支持体は、平面視にて、装着時に動物の胴周り方向に対応する第１方向と、前記第１方向と直交し且つ装着時に動物の前後方向に対応する第２方向とを有するとともに、厚さ方向において、装着時に動物の胴体に対向する胴体対向面と、前記胴体対向面とは反対側の胴体非対向面とを有し、
さらに、前記支持体は、前記第１方向の両端部の前記胴体非対向面においてそれぞれ前記第２方向に延在し且つ前記吸収性物品の対応する前記係合部の各々と着脱自在に係合する、フック部材からなる支持体側係合部を有する、前記排泄物処理セットである。
【００２９】
本態様の排泄物処理セットは、支持体が第１方向の両端部の胴体非対向面において支持体側係合部を有しているため、吸収性物品と支持体を動物の胴体に装着する際に、支持体を動物の背部に配置してから、吸収性物品を動物の腹部から胴周りに沿わせて配置し、係合部を支持体の胴体非対向面に係合させることとなり、動物の毛を支持体で押さえながら吸収性物品を係合固定することで、吸収性物品と支持体の係合部分に動物の毛を巻き込まないようにして吸収性物品を動物の腹部に装着することができる。
さらに、本態様の排泄物処理セットは、支持体側係合部が第２方向（すなわち、動物の前後方向に対応する方向）に延在するフック部材からなるため、相対的に剛性の高いフック部材によって支持体側係合部の第２方向における剛性を確保し易く、かかる支持体側係合部に係合固定される吸収性物品を動物の前後方向に更に縮み難くすることができる。
以上より、本態様の排泄物処理セットは、動物の腹部に対してより精度よく、より的確に装着することができ、動物の排泄物の漏出をより一層生じ難くすることができる。
【００３０】
本発明の更に別の態様（態様１２）では、上記態様１０又は１１の排泄物処理セットにおいて、前記支持体側係合部の各々は、前記第１方向の両端部において、それぞれ前記支持体の第１方向端縁を含む位置に配置されている。
【００３１】
本態様の排泄物処理セットは、支持体側係合部がそれぞれ支持体の第１方向端縁を含む位置に配置されているため、吸収性物品及び支持体の装着時に、支持体の第１方向端縁における捲れ及びそれに起因する支持体及び吸収性物品の位置ずれや剥落等を更に生じ難くすることができる。これにより、本態様の排泄物処理セットは、上述の排泄物処理セットによって奏される作用効果を、より長期にわたって安定的に発揮することができる。
【発明の効果】
【００３２】
本発明によれば、動物の背部に装着される支持体によって支持されながら、動物の腹部に装着される動物用の吸収性物品であって、装着時に動物が動いたりするような場合でも、吸収性物品が動物の前後方向に縮み難く、動物の排泄物を外部へ漏出し難くすることのできる吸収性物品を提供することができる。
【図面の簡単な説明】
【００３３】
【図１】図１は、本発明の第１実施形態に係る使い捨ておむつ１と支持体２とが雄犬に装着された状態を示す模式図である。
【図２】図２は、本発明の第１実施形態に係る使い捨ておむつ１を、展開した状態で胴体対向面Ｆ１側から厚さ方向Ｔに見た平面図である。
【図３】図３は、図２の使い捨ておむつ１のＩＩＩ−ＩＩＩ線に沿った断面図である。
【図４】図４は、図２の使い捨ておむつ１のＩＶ−ＩＶ線に沿った断面図である。
【図５】図５は、使い捨ておむつ１を動物の背部側から支持するための支持体２を、展開した状態で胴体非対向面Ｓ２側から厚さ方向ＤＴに見た平面図である。
【図６】図６は、図５の支持体２のＶＩ−ＶＩ線に沿った断面図である。
【図７】図７は、使い捨ておむつ１を支持体２に固定した状態を模式的に示す斜視図である。
【図８】図８は、本発明の第２実施形態に係る使い捨ておむつ１Ａを、展開した状態で胴体対向面Ｆ１側から厚さ方向Ｔに見た平面図である。
【図９】図９は、使い捨ておむつ１Ａを支持体２Ａに固定した状態を模式的に示す斜視図である。
【図１０】図１０は、本発明の第３実施形態に係る使い捨ておむつ１Ｂを、展開した状態で胴体対向面Ｆ１側から厚さ方向Ｔに見た平面図である。
【図１１】図１１は、使い捨ておむつ１Ｂを支持体２Ｂに固定した状態を模式的に示す斜視図である。
【図１２】図１２は、本発明の第４実施形態に係る使い捨ておむつ１Ｃを、展開した状態で胴体対向面Ｆ１側から厚さ方向Ｔに見た平面図である。
【図１３】図１３は、使い捨ておむつ１Ｃを支持体２Ｃに固定した状態を模式的に示す斜視図である。
【図１４】図１４は、本発明の第５実施形態に係る使い捨ておむつ１Ｄを、展開した状態で胴体対向面Ｆ１側から厚さ方向Ｔに見た平面図である。
【図１５】図１５は、使い捨ておむつ１Ｄを動物の背部側から支持するための支持体２Ｄを、展開した状態で胴体非対向面Ｓ２側から厚さ方向ＤＴに見た平面図である。
【図１６】図１６は、使い捨ておむつ１Ｄを支持体２Ｄに固定した状態を模式的に示す斜視図である。
【図１７】図１７は、本発明の第６実施形態に係る使い捨ておむつ１Ｅを、展開した状態で胴体対向面Ｆ１側から厚さ方向Ｔに見た平面図である。
【図１８】図１８は、使い捨ておむつ１Ｅを動物の背部側から支持するための支持体２Ｅを、展開した状態で胴体非対向面Ｓ２側から厚さ方向ＤＴに見た平面図である。
【図１９】図１９は、使い捨ておむつ１Ｅを支持体２Ｅに固定した状態を模式的に示す斜視図である。
【発明を実施するための形態】
【００３４】
以下、本発明の動物用の吸収性物品の好適な実施形態について、図面を参照しながら詳細に説明する。なお、本明細書においては、特に断りのない限り、「展開した状態で水平面上に置いた対象物（例えば、使い捨ておむつ（吸収性物品）、支持体等）を、垂直方向の上方側から対象物の厚さ方向に見ること」を単に「平面視」という。特に、対象物が吸収性物品の場合は、「吸収性物品を胴体対向面側（すなわち、表面シート側）から厚さ方向に見ること」を単に「平面視」といい、対象物が支持体の場合は、「支持体を胴体非対向面側（すなわち、外側表面材側）から厚さ方向に見ること」を単に「平面視」という。
【００３５】
本明細書で用いられる各種方向等については、特に断りのない限り、以下のとおりである。
本明細書において、「長手方向」は、「平面視における縦長の対象物（例えば、吸収性物品等）の長さの長い方向」を指し、「幅方向」は、「平面視における縦長の対象物の長さの短い方向（短手方向）」を指し、「厚さ方向」は、「展開した状態で水平面上に置いた対象物に対して垂直方向」を指し、これらの長手方向、幅方向及び厚さ方向は、それぞれ互いに直交する関係にある。
さらに、本明細書では、「平面視にて、対象物（例えば、吸収性物品、支持体等）の幅方向又は第２方向の中央に位置し且つ前記幅方向又は第２方向に直交する長手方向又は第１方向に延びる軸線」を「長手方向又は第１方向の中央軸線」といい、「平面視にて、対象物の長手方向又は第１方向の中央に位置し且つ前記長手方向又は第１方向に直交する幅方向又は第２方向に延びる軸線」を「幅方向又は第２方向の中央軸線」という。これに関連して、「平面視にて、対象物の長手方向又は第１方向において、幅方向又は第２方向の中央軸線に対して相対的に近位側」を「長手方向又は第１方向の内方側」といい、「平面視にて、対象物の長手方向又は第１方向において、幅方向又は第２方向の中央軸線に対して相対的に遠位側」を「長手方向又は第１方向の外方側」という。同様に、「平面視にて、対象物の幅方向又は第２方向において、長手方向又は第１方向の中央軸線に対して相対的に近位側」を「幅方向又は第２方向の内方側」といい、「平面視にて、対象物の幅方向又は第２方向において、長手方向又は第１方向の中央軸線に対して相対的に遠位側」を「幅方向又は第２方向の外方側」という。
また、本明細書では、「支持体及び吸収性物品の装着対象である動物の胴体が延びる方向」を「動物の前後方向」といい、さらに、「動物の前後方向において、動物の頭部に対して相対的に近位側」を「動物の前方側」といい、「動物の前後方向おいて、動物の頭部に対して相対的に遠位側」を「動物の後方側」という。また、本明細書では、「支持体及び吸収性物品の装着対象である動物の腹部及び背部を含む胴体周りに沿う方向」を「動物の胴周り方向」という。
【００３６】
そして、本明細書では、特に断りのない限り、「対象物の厚さ方向において、対象物を動物の胴体に装着したときに、動物の胴体に対して相対的に近位側となる一方の面」を「胴体対向面」といい、「対象物の厚さ方向において、対象物を動物の胴体に装着したときに、動物の胴体に対して相対的に遠位側となる他方の面」を「胴体非対向面」という。ここで、「装着したとき」とは、「動物が対象物を装着した時点（すなわち、対象物が使用可能な状態を形成した時点）からその状態を維持している間（装着している間）」を意味し、本明細書では、この「装着したとき」を単に「装着時」と称することがある。
【００３７】
＜第１実施形態＞
図１は、本発明の第１実施形態に係る使い捨ておむつ１と支持体２とが雄犬に装着された状態を示す模式図であり、図２は、本発明の第１実施形態に係る使い捨ておむつ１を、展開した状態で胴体対向面Ｆ１側から厚さ方向Ｔに見た平面図である。さらに、図３は、図２の使い捨ておむつ１のＩＩＩ−ＩＩＩ線に沿った断面図であり、図４は、図２の使い捨ておむつ１のＩＶ−ＩＶ線に沿った断面図である。
【００３８】
本第１実施形態の動物用の使い捨ておむつ１（本発明の「吸収性物品」の一例である。）は、図１に示すように、雄犬などの動物の腹部に対して、少なくとも排泄物を排出する動物の排出器官の排泄口を覆うように配置されて、動物から排出される尿などの排泄物を吸収して保持するための吸収性物品である。なお、使い捨ておむつ１は、長手方向Ｌの一方側端部１５及び他方側端部１６を、これらの各端部に配置された一方側の係合部１７及び他方側の係合部１８を用いて、後述する支持体２の第１方向Ｄ１の一方側の支持体側係合部２３及び他方側の支持体側係合部２４にそれぞれ着脱自在に係合固定することにより動物に装着される。
【００３９】
使い捨ておむつ１は、複数のシート状の構成部材（すなわち、表面シート１１、裏面シート１２、吸収体１３、バックフィルム１２Ｂ、一対のサイドシート等）が厚さ方向Ｔに積層されたシート状の積層体であり、平面視にて、装着時に動物の胴周り方向ＤＳに対応する長手方向Ｌと、該長手方向Ｌと直交し且つ装着時に動物の前後方向ＤFに対応する幅方向Ｗとを有するとともに、全体として長手方向Ｌ及び幅方向Ｗに延在する縦長の矩形状の外形形状を有している。
【００４０】
なお、本発明において、吸収性物品の外形形状や各種寸法等は、動物から排出された尿などの排泄物を吸収して保持し得るものであれば特に制限されず、動物の種類や体型、サイズ等に応じた任意の外形形状（例えば、楕円形や四隅の各々が円弧状の略長方形、長手方向の中央部が幅方向の外方側に膨出した形状（クラウン形状）、長手方向の中央部が幅方向の内方側に窪んだ形状（逆クラウン形状）など）や寸法等を採用することができる。
【００４１】
本第１実施形態の使い捨ておむつ１は、図２乃至図４に示すように、装着時に動物の胴体と対抗する胴体対向面Ｆ１と、厚さ方向Ｔにおいて胴体対向面Ｆ１の反対側に位置する胴体非対向面Ｆ２とを有しており、さらに、厚さ方向Ｔにおいて、胴体対向面Ｆ１側に位置する表面シート１１と、胴体非対向面Ｆ２側に位置する裏面シート１２と、これらのシートの間に位置する吸収体１３と、を基本構成として備えている。
なお、この使い捨ておむつ１においては、図２乃至図４に示すように、厚さ方向Ｔにおいて表面シート１１の胴体対向面Ｆ１側に位置し且つ幅方向Ｗの両端部の各々において長手方向Ｌに延在する一対のサイドシート（具体的には、幅方向Ｗの一方側のサイドシート１４及び他方側のサイドシート１４’）と、厚さ方向Ｔにおいて裏面シート１２の胴体非対向面Ｆ２側に位置し且つ長手方向Ｌの一方側端部１５及び他方側端部１６の各々において幅方向Ｗに延在する一対の係合部（具体的には、長手方向Ｌの一方側の係合部１７及び他方側の係合部１８）と、吸収体１３及び裏面シート１２の間に位置するバックフィルム１２Ｂと、を更に備えている。
【００４２】
ここで、使い捨ておむつ１の吸収体１３は、図２に示すように、平面視にて、所定の長手方向長さ及び幅方向長さ（Ｂ）を有する縦長の矩形状の外形形状を有し、使い捨ておむつ１の長手方向Ｌ及び幅方向Ｗの各々の中央軸線（すなわち、長手方向Ｌの中央軸線ＣＬと幅方向Ｗの中央軸線ＣＷ）が交わる中央部を含む位置に配置されて、動物から排出される尿などの排泄物を的確に吸収し、保持することができる吸水性部材によって構成されている。なお、本発明において、吸収性物品の吸収体が配置される平面視位置は、上述の中央部を含む位置であれば特に制限されず、例えば、平面視にて長手方向の一方側又は他方側に偏って配置されていてもよい。
【００４３】
そして、本第１実施形態の使い捨ておむつ１においては、上述の長手方向Ｌの一方側の係合部１７及び他方側の係合部１８の各々が、吸収体１３の幅方向長さ（Ｂ）以上の幅方向長さ（Ａ）を有している。
このように、本第１実施形態の使い捨ておむつ１は、長手方向Ｌの一方側の係合部１７及び他方側の係合部１８の各々が吸収体１３の幅方向長さ（Ｂ）以上の幅方向長さ（Ａ）を有しているため、かかる係合部１７、１８において、幅方向Ｗの剛性（具体的には、幅方向Ｗに圧縮するように掛かる力に抗する剛性）を少なくとも吸収体の幅方向長さ（Ｂ）以上の範囲で確保し易く、使い捨ておむつ１の装着時に動物が動いたりしても、当該使い捨ておむつ１を動物の前後方向ＤＦに縮み難くすることができ、吸収体１３の幅方向Ｗ（すなわち、動物の前後方向ＤＦに対応する方向）におけるヨレや潰れを生じ難くすることができる。これにより、本第１実施形態の使い捨ておむつ１は、装着時において、吸収体１３の吸収性能を十分に発揮させることができるばかりか、使い捨ておむつ１に動物の胴周り方向ＤＳに沿った複数の大きな皺や襞が形成され難くなり、動物の腹部表面と使い捨ておむつ１との間に皺や襞に起因する隙間が形成され難くなるため、使い捨ておむつ１が動物の腹部に密着した状態を維持し易く、結果的に動物の排泄物が外部へ漏出し難くなっている。
【００４４】
ここで、本発明の動物用の吸収性物品が適用される「動物」は、腹部に排泄物を排出するための排出器官を有する四肢動物（四足動物）であれば特に限定されず、上述の第１実施形態のような雄犬のほか、例えば、雄猫や牡馬等の様々な動物を対象とすることができる。なお、本発明の吸収性物品（例えば、使い捨ておむつや失禁パッド等）が吸収及び保持する対象の排泄物は、特に制限されず、例えば、尿や血液等の各種排泄物が挙げられる。
【００４５】
＜動物用の吸収性物品＞
以下、本発明の動物用の吸収性物品を構成する各種部材について、上述の第１実施形態に係る使い捨ておむつ１を用いて更に詳細に説明する。
【００４６】
［表面シート］
上述の第１実施形態の使い捨ておむつ１において、表面シート１１は、図２乃至図４に示すように、平面視にて、使い捨ておむつ１の長手方向Ｌ及び幅方向Ｗに延在する縦長の矩形状の外形形状を有し、図３及び図４に示すように使い捨ておむつ１の厚さ方向Ｔの胴体対向面Ｆ１側に配置されて、装着対象となる動物の胴体に直に接触し得る液透過性のシート状部材によって構成されている。本発明において、かかる液透過性のシート状部材は、動物用の吸収性物品の表面シートとして用い得る諸特性（例えば、液透過性や柔軟性、肌触り、強度等）を有するものであれば特に制限されず、例えば、スパンレース不織布、エアスルー不織布、スパンボンド不織布、ポイントボンド不織布、メルトブローン不織布、及びこれらの組み合わせ（例えば、ＳＭＳ不織布等）などの任意の不織布を用いることができる。さらに、表面シートとして用い得る不織布の構造は、特に制限されず、平坦な無孔の不織布のほか、例えば、有孔の不織布、凹凸構造（断面形状が波形となる凹凸構造や畝溝構造等）を有する不織布なども好適に用いることができる。また、かかる不織布に用いられる構成繊維の種類も特に制限されず、例えば、セルロース系繊維；親水化処理を施したオレフィン系樹脂やポリエステル系樹脂等の熱可塑性樹脂繊維などの親水性繊維が挙げられ、これらの繊維は単独で用いても、二種類以上の繊維を併用してもよい。
【００４７】
本発明において、表面シートの外形形状や各種寸法等は、動物用の吸収性物品の表面シートとして用い得るものであれば特に制限されず、装着対象となる動物の大きさや体型などに応じた任意の外形形状や各種寸法等を採用することができる。また、表面シートの坪量も、本発明の効果を阻害しない限り特に制限されず、例えば、５ｇ／ｍ2〜１００ｇ／ｍ2の範囲内の坪量を採用することができるが、液透過性や柔軟性などの点から６ｇ／ｍ2〜５０ｇ／ｍ2の範囲内の坪量が好ましい。なお、坪量は、ＪＩＳ  Ｌ  １９０６の５．２に従って測定することができる。
【００４８】
さらに、表面シートの厚みについても、本発明の効果を阻害しない限り特に制限されず、例えば、０．００１ｍｍ〜５．０ｍｍの範囲内の厚みを採用することができるが、液透過性や柔軟性などの点から０．０１ｍｍ〜３．０ｍｍの範囲内の厚みが好ましく、さらに、０．１ｍｍ〜１．０ｍｍの範囲内の厚みがより好ましい。
【００４９】
［裏面シート］
上述の第１実施形態の使い捨ておむつ１において、裏面シート１２は、図２乃至図４に示すように、平面視にて、使い捨ておむつ１の長手方向Ｌ及び幅方向Ｗに延在する縦長の矩形状の外形形状を有し、図３及び図４に示すように使い捨ておむつ１の厚さ方向Ｔの胴体非対向面Ｆ２側に配置されて、装着対象となる動物から排出される尿などの排泄物の漏出を防ぐように機能する液不透過性のシート状部材によって構成されている。本発明において、かかる液不透過性のシート状部材は、動物用の吸収性物品の裏面シートとして用い得る諸特性（例えば、液不透過性や通気性、柔軟性、強度等）を有するものであれば特に制限されず、例えば、疎水性を有する不織布、ＳＭＳ積層不織布、液不透過性のプラスチック製フィルム、及びこれらのシートを任意に組み合わせた積層シートなどの任意の液不透過性のシート状部材を用いることができる。
【００５０】
本発明において、裏面シートの外形形状や各種寸法等は、動物用の吸収性物品の裏面シートとして用い得るものであれば特に制限されず、装着対象となる動物の大きさや体型などに応じた任意の外形形状や各種寸法等を採用することができる。また、裏面シートの厚みについても、本発明の効果を阻害しない限り特に制限されず、例えば、０．００１ｍｍ〜５．０ｍｍの範囲内の厚みを採用することができるが、液不透過性や柔軟性、通気性などの点から０．００３ｍｍ〜３．０ｍｍの範囲内の厚みが好ましく、更には、０．０１ｍｍ〜１．０ｍｍの範囲内の厚みがより好ましい。
【００５１】
［吸収体］
上述の第１実施形態の使い捨ておむつ１において、吸収体１３は、図２乃至図４に示すように、平面視にて、所定の長手方向長さ及び幅方向長さ（Ｂ）を有する縦長の矩形状の外形形状を有し、使い捨ておむつ１の長手方向Ｌの中央軸線ＣＬ及び幅方向Ｗの中央軸線ＣＷが交わる中央部を含む位置に配置され、且つ、使い捨ておむつ１の厚さ方向Ｔにおいて表面シート１１と裏面シート１２との間に配置されて、動物から排出される尿などの排泄物を的確に吸収し、保持することのできる吸水性部材によって構成されている。なお、本発明において、吸収体の外形形状や各種寸法等は、動物から排出された尿などの排泄物を吸収して保持し得るものであれば特に制限されず、動物の種類や体型、サイズ等に応じた任意の外形形状（例えば、楕円形や四隅の各々が円弧状の略長方形、長手方向の中央部が幅方向の外方側に膨出した形状（クラウン形状）、長手方向の中央部が幅方向の内方側に窪んだ形状（逆クラウン形状）など）や各種寸法等を採用することができる。
なお、本明細書において、吸収体の幅方向長さは、平面視にて、吸収体における幅方向の長さが最も大きい部分の幅方向長さをいい、吸収体の幅方向長さが一定の場合には、その一定の幅方向長さをいう。
【００５２】
本発明において、吸収体を構成する吸水性部材は、動物用の吸収性物品の吸収体として用い得る諸特性（例えば、吸水性や液保持性、柔軟性、強度等）を有するものであれば特に制限されず、当分野において公知の任意の吸水性部材を用いることができる。そのような吸水性部材の例としては、パルプ等の吸水性繊維及び／又は高吸収性ポリマーを含む吸収性材料からなる吸収コアを、少なくとも１枚の親水性を有する液透過性の被覆シート（例えば、ティッシュ等）によって覆ったものなどが挙げられる。
【００５３】
なお、吸収体の厚みや坪量等は、動物用の吸収性物品の吸収体として用い得るものであれば特に制限されず、装着対象となる動物の大きさや体型などに応じた任意の厚みや坪量等を採用することができる。
【００５４】
［サイドシート］
上述の第１実施形態の使い捨ておむつ１において、一対のサイドシート（すなわち、幅方向Ｗの一方側のサイドシート１４及び他方側のサイドシート１４’）は、図２乃至図４に示すように、表面シート１１の胴体対向面Ｆ１側に位置し且つ幅方向Ｗの一方側端部１９及び他方側端部１９’の各々において長手方向Ｌに延在するように配置されている。この一対のサイドシートは、平面視にて、それぞれ長手方向Ｌに長い帯状の疎水性シート状部材によって構成されていて、さらに、かかる一対のサイドシートの各々は、幅方向Ｗの外方側に位置する端部（以下、「幅方向Ｗの外方側の端部」という。）の胴体非対向面Ｆ２側の表面が、それぞれ表面シート１１及び裏面シート１２の胴体対向面Ｆ１側の表面に接合されている一方、幅方向Ｗの内方側に位置する端部（以下、「幅方向Ｗの内方側の端部」という。）の胴体非対向面Ｆ２側の表面は、いずれのシート状部材（例えば、表面シート１１や裏面シート１２等）とも接合されていない。したがって、一対のサイドシートは、図３に示すように、使い捨ておむつ１の幅方向Ｗの外方側の端部が固定端部となっている一方、幅方向Ｗの内方側の端部が自由端部となっていて、起立し得るため、動物から排出される尿などの排泄物の漏出を防ぐ、防漏壁として機能することができる。
なお、上述の第１実施形態では、上記一対のサイドシートの幅方向Ｗの外方側の端部は、図３に示すように、使い捨ておむつ１の幅方向Ｗの一方側端縁１９Ｅの近傍部分及び他方側端縁１９’Ｅの近傍部分の各々において、それぞれ裏面シート１２と接合されており、さらに、この一対のサイドシートと裏面シート１２との間には、使い捨ておむつ１に長手方向Ｌの収縮力を付与する側部弾性部材ＥＭが配置されている。この側部弾性部材ＥＭについては、後述する。
【００５５】
また、上述の第１実施形態の使い捨ておむつ１において、幅方向Ｗの一方側のサイドシート１４及び他方側のサイドシート１４’の各々は、図２及び図３に示すように、幅方向Ｗの内方側の端部がそれぞれ表面シート１１側に向かって折り畳まれていて、その折り畳まれた端部に挟まれるようにして、長手方向Ｌに延びる糸状の弾性部材１４Ｅ、１４’Ｅがそれぞれ配置されている。ここで、図７は、使い捨ておむつ１を支持体２に固定した状態を模式的に示す斜視図である。上述の幅方向Ｗの一方側のサイドシート１４及び他方側のサイドシート１４’の各々がこのように構成されていると、使い捨ておむつ１を動物の腹部に装着する際に、各サイドシートの幅方向Ｗの内方側の端部が、弾性部材１４Ｅ、１４’Ｅの収縮作用によって表面シート１１側から起立して、図７に示すような立体ギャザーＧを形成することができるため、動物から排出される排泄物の漏出を更に一層生じ難くすることができる。
【００５６】
本発明において、動物用の吸収性物品のサイドシートとして用い得る帯状の疎水性シート状部材は、吸収性物品の防漏壁として機能し得るものであれば、特に制限されず、例えば、撥水性や疎水性を有する任意の不織布（例えば、スパンレース不織布、スパンボンド不織布、サーマルボンド不織布、メルトブローン不織布、エアスルー不織布等）を帯状に裁断したものなどを用いることができる。さらに、このような不織布の構成繊維も特に制限されず、例えば、ポリオレフィン系繊維やポリエステル系繊維、ポリアミド系繊維等の合成繊維のほか、レーヨンや綿等のセルロース系繊維なども用いることができる。
【００５７】
なお、本発明において、吸収性物品の一対のサイドシートの態様は、特に限定されず、例えば、一対のサイドシートは、吸収性物品の装着時に動物の前方側に対応する幅方向の一方側のサイドシートを、上述の第１実施形態のサイドシート１４のように弾性部材を配置して立体ギャザーを形成し得るように構成し、吸収性物品の装着時に動物の後方側に対応する幅方向の他方側のサイドシートを、幅方向長さが上記一方側のサイドシートの幅方向長さよりも短く且つ上記弾性部材が配置されないように構成してもよい。吸収性物品の装着時に動物の前方側に対応する幅方向の一方側のサイドシートを、上述の立体ギャザーを形成し得るように構成することで、吸収性物品の装着時に、通常動物の前方側を向いている排出器官の排泄口から排出される尿などの排泄物を上述の立体ギャザーＧによって着実に受け止めることができるため、排泄物の漏出をより生じ難くすることができる。
【００５８】
なお、一対のサイドシートの各々の外形形状や各種寸法等は、動物用の吸収性物品のサイドシートとして用い得るものであれば特に制限されず、装着対象となる動物の大きさや体型などに応じた任意の外形形状や各種寸法等を採用することができる。
【００５９】
また、動物用の吸収性物品にこのような一対のサイドシートを設けることは、本発明においては必須の構成要件ではないため、動物用の吸収性物品は、このような一対のサイドシートを有していなくてもよい。
【００６０】
（側部弾性部材）
上述の第１実施形態の使い捨ておむつ１において、側部弾性部材ＥＭは、使い捨ておむつ１の長手方向Ｌに延在する伸縮自在の２本１組の糸状の弾性部材（すなわち、使い捨ておむつ１内において合計４本の糸状の弾性部材）によって構成されており、図２及び図３に示すように、使い捨ておむつ１の幅方向Ｗの一方側端部１９及び他方側端部１９’の各々（より具体的には、使い捨ておむつ１の幅方向Ｗの一方側端縁１９Ｅの近傍部分及び他方側端縁１９’Ｅの近傍部分の各々）において、上述の一対のサイドシートと裏面シート１２との間に配置されて、展開した状態の使い捨ておむつ１に長手方向Ｌの収縮力を付与するものである。
【００６１】
このような側部弾性部材ＥＭが使い捨ておむつ１の幅方向Ｗの両端部に配置されていると、装着時に使い捨ておむつ１の幅方向Ｗ（すなわち、装着時における動物の前後方向ＤＦ）の両端部を動物の胴周りに沿ってより的確に密着させることができるため、動物から排出される尿などの排泄物の漏出をより一層生じ難くすることができる。
また、このように、展開した状態の使い捨ておむつ１に対して長手方向Ｌの収縮力が付与されていると、装着時には、使い捨ておむつ１が動物の胴周り方向ＤＳに伸縮可能となるため、使い捨ておむつ１を動物の腹部に装着する際においては、使い捨ておむつ１の長手方向長さが動物の胴周りに沿って縮小して、使い捨ておむつ１が動物の腹部形状に合わせて密着し易くなり、さらに、使い捨ておむつ１が動物の腹部に装着された後においては、使い捨ておむつ１が、動物の動作や呼吸、飲食等に伴って生じる胴周りのサイズ変化などに合せて、動物の胴周り方向ＤＳに伸縮することができ、当該使い捨ておむつ１が動物の腹部に密着した状態を長時間にわたって維持し易くなる。
【００６２】
本発明において、側部弾性部材として用い得る弾性部材は、展開した状態の吸収性物品に長手方向の収縮力を付与し得るものであれば特に限定されず、例えば、天然ゴムからなる糸ゴム又は平ゴム；ウレタン、エチレン−酢酸ビニル共重合体（ＥＶＡ）等の熱可塑性エラストマーを糸状又は帯状に成形した伸縮性成形体；伸縮性不織布等の伸縮性シート状部材などの任意の弾性部材を用いることができる。
【００６３】
なお、本発明において、側部弾性部材の配置形態は、上述の第１実施形態の態様に限定されず、側部弾性部材は、動物の種類や体型等に応じて、例えば、吸収性物品の幅方向における両端部のうちのいずれか一方の端部のみに１本又は２本以上配置されていてもよく、或いは、吸収性物品の幅方向における両端部の各々に、１本ずつ又は３本ずつ以上配置されていてもよい。
【００６４】
なお、動物用の吸収性物品にこのような側部弾性部材を設けることは、本発明においては必須の構成要件ではないため、動物用の吸収性物品は、このような側部弾性部材を有していなくてもよい。
【００６５】
［係合部］
上述の第１実施形態の使い捨ておむつ１において、長手方向Ｌの一方側の係合部１７及び他方側の係合部１８は、図２乃至図４に示すように、裏面シート１２の胴体非対向面Ｆ２側に位置し且つ長手方向Ｌの一方側端部１５及び他方側端部１６の各々において幅方向Ｗに延在するように配置されており、使い捨ておむつ１の幅方向Ｗに沿って長い横長の矩形状の外形形状を有している。なお、本発明において、吸収性物品の係合部は、本発明の効果を阻害しない限りこのような外形形状に限定されず、例えば、正方形、長方形、六角形、四隅の各々が円弧状の略長方形状等の任意の外形形状を採用することができる。
【００６６】
そして、本第１実施形態の使い捨ておむつ１において、長手方向Ｌの一方側の係合部１７及び他方側の係合部１８の各々は、図２に示すように、吸収体１３の幅方向長さ（Ｂ）以上の幅方向長さ（Ａ）を有している。このように、長手方向Ｌの両端部において幅方向Ｗに延在する係合部１７、１８の各々が、吸収体１３の幅方向長さ（Ｂ）以上の幅方向長さ（Ａ）を有していると、かかる係合部１７、１８において、幅方向Ｗの剛性を少なくとも吸収体１３の幅方向長さ（Ｂ）以上の範囲で確保し易くなるため、使い捨ておむつ１の装着時に動物が動いたりしても、使い捨ておむつ１を動物の前後方向ＤＦに縮み難くすることができ、吸収体１３の幅方向Ｗ（すなわち、装着時における動物の前後方向ＤＦ）におけるヨレや潰れを生じ難くすることができる。これにより、本第１実施形態の使い捨ておむつ１は、装着時において、吸収体１３の吸収性能を十分に発揮させることができるばかりか、使い捨ておむつ１に動物の胴周り方向ＤＳに沿った複数の大きな皺や襞が形成され難くなり、動物の腹部表面と使い捨ておむつ１との間に皺や襞に起因する隙間が形成され難くなるため、当該使い捨ておむつ１が動物の腹部に密着した状態を維持し易くなり、結果的に動物の排泄物が外部へ漏出し難くなる。
なお、本明細書において、係合部の幅方向長さは、平面視にて、係合部における幅方向の長さが最も大きい部分の幅方向長さをいい、係合部の幅方向長さが一定の場合には、その一定の幅方向長さをいう。
【００６７】
さらに、本第１実施形態においては、上述の長手方向Ｌの一方側の係合部１７及び他方側の係合部１８の各々が、図２及び図４に示すように、使い捨ておむつ１の胴体非対向面Ｆ２に配置されているため、使い捨ておむつ１と支持体２を動物の胴体に装着する際に、支持体２が、図１及び図７に示すように使い捨ておむつ１の胴体非対向面Ｆ２における各係合部１７、１８を背部側から覆い隠すように係合することとなり、かかる使い捨ておむつ１を装着された動物や他の動物が使い捨ておむつ１を剥がし難くなるとともに、使い捨ておむつ１の長手方向Ｌ（すなわち、装着時における動物の胴周り方向ＤＳ）の両端部が動物の胴体表面に対して相対的に近位側に位置することで、動物から排出された尿などの排泄物が使い捨ておむつ１を伝って動物の胴周り方向ＤＳに拡散したとしても、当該排泄物を外部に漏出し難くすることができる。これにより、本第１実施形態の使い捨ておむつ１は、排泄物の漏出をより安定的且つ確実に生じ難くすることができる。
【００６８】
また、本第１実施形態の使い捨ておむつ１においては、長手方向Ｌの一方側の係合部１７及び他方側の係合部１８の各々は、図２及び図４に示すように、使い捨ておむつ１の長手方向Ｌの両端部において、それぞれ使い捨ておむつ１の長手方向端縁（具体的には、図２及び図４における、長手方向Ｌの一方側端縁１５Ｅ及び他方側端縁１６Ｅ）を含む位置に配置されている。このように、長手方向Ｌの一方側の係合部１７及び他方側の係合部１８の各々が、それぞれ使い捨ておむつ１の長手方向端縁を含む位置に配置されていると、装着時に、使い捨ておむつ１を、当該使い捨ておむつ１の長手方向Ｌの端縁に至る部分まで支持体２の係合部（すなわち、支持体側係合部２３、２４）に固定することができるため、装着時における使い捨ておむつ１の長手方向端縁の捲れやそれに起因する使い捨ておむつ１の位置ずれや剥落等を更に生じ難くすることができる。これにより、本第１実施形態の使い捨ておむつ１は、上述の使い捨ておむつ１によって奏される作用効果や機能を、より長期にわたって安定的に発揮することができる。
【００６９】
なお、本明細書において、長手方向端縁（すなわち、長手方向の一方側端縁及び他方側端縁）は、長手方向の一方側及び他方側の各々において最も外方側に位置する部分（すなわち、「縁（ふち）」）を意味し、長手方向の端部（すなわち、長手方向の一方側端部及び他方側端部）は、長手方向端縁を含んで長手方向の内方側に延在し且つ当該長手方向端縁からの長手方向長さが長手方向全長（この長手方向全長を１００％とする。）の２５％となる長手方向内方側の位置までの、所定の領域として画定される部分を意味する。
また、幅方向端縁（すなわち、幅方向の一方側端縁及び他方側端縁）及び幅方向の端部（すなわち、幅方向の一方側端部及び他方側端部）、後述する支持体の第１方向端縁（すなわち、第１方向の一方側端縁及び他方側端縁）及び第１方向の端部（すなわち、第１方向の一方側端部及び他方側端部）、並びに支持体の第２方向端縁（すなわち、第２方向の一方側端縁及び他方側端縁）及び第２方向の端部（すなわち、第２方向の一方側端部及び他方側端部）についても同様である。
【００７０】
また、本第１実施形態においては、使い捨ておむつ１は、図２及び図４に示すように、平面視における吸収体１３と各係合部１７、１８との間の部分が、表面シート１１、裏面シート１２及びバックフィルム１２Ｂからなる３層の積層構造を有していて、他の部分（例えば、吸収体１３を有する部分や係合部１７、１８を有する部分等）と比べて、相対的に剛性の低い低剛性部Ｒ１として形成されている。吸収体１３と各係合部１７、１８との間にこのような低剛性部Ｒ１を有していると、使い捨ておむつ１の装着時において、動物の動作等によって使い捨ておむつ１に掛かる力や変形を、かかる低剛性部Ｒ１が変形することによって緩衝することができるため、装着時において使い捨ておむつ１が動物の腹部に密着した状態を維持し易くなり、また、使い捨ておむつ１の位置ずれをより生じ難くすることができる。これにより、本第１実施形態の使い捨ておむつ１は、上述の使い捨ておむつ１による作用効果をより安定的に発揮することができる。
【００７１】
なお、本発明の吸収性物品において、吸収体と各係合部との間に低剛性部を形成する手段は、本発明の効果を阻害しない限り特に制限されず、上述の第１実施形態のような積層構造における層数の調整のほか、例えば、吸収体と各係合部との間の部分における構成部材の坪量の低減化等の任意の手段を採用することができる。
【００７２】
また、本第１実施形態の使い捨ておむつ１においては、長手方向Ｌの一方側の係合部１７及び他方側の係合部１８は、図４に示すように、それぞれ胴体非対向面側に向かって突出する係合突起Ｐを備えたフック部材によって形成されている。このように、各係合部１７、１８がフック部材によって形成されていると、相対的に剛性の高いフック部材によって各係合部１７、１８の剛性が確保し易いため、装着時において、使い捨ておむつ１を動物の前後方向ＤＦに更に縮み難くすることができる。さらに、本第１実施形態においては、使い捨ておむつ１の各係合部１７、１８がフック部材によって形成されているため、これらの係合部１７、１８と係合する支持体２の係合部（すなわち、支持体２の第１方向Ｄ１の一方側の支持体側係合部２３及び他方側の支持体側係合部２４）は、それぞれフック部材の係合突起Ｐを受け入れ可能な受容部材によって形成されているが、このような受容部材は、通常、フック部材と比べて、繰り返し行われる係合部材の着脱動作に対して耐久性が高い（すなわち、構造破壊を生じ難い）ため、上述の支持体２をより長期にわたって繰り返し使用することができるという利点もある。なお、各係合部１７、１８がフック部材によって形成された使い捨ておむつ１は、使用される度に廃棄されるものであるため、使い捨ておむつ１を動物に装着する際は、通常、新しい使い捨ておむつ１のフック部材が支持体側係合部２３、２４の受容部材と係合することとなり、上述の使い捨ておむつ１によって奏される作用効果を安定的に発揮することができる。
【００７３】
ここで、本明細書において、「係合」とは、所定構造を有する要素同士が機械的に係わり合うことで繋がり、各要素を所定の力を以て引き離さない限り、その繋がった状態が維持されるような状態をいい、「係合部材」の代表的な例としては、いわゆる面ファスナーなどが挙げられ、具体的には、複数の係合突起を有するフック部材や該フック部材の係合突起を受け入れるための複数の係合凹部（例えば、ループ構造部、構成繊維間の空隙部等）を有する受容部材（例えば、ループ部材等）などが挙げられる。
【００７４】
本発明において、吸収性物品の長手方向の両端部に配置される係合部を形成し得る係合部材としては、支持体の第１方向の両端部に配置される係合部と係合し得るものであれば特に制限されず、例えば、上述の第１実施形態のようなフック部材、フック部材の係合突起を受け入れるための受容構造部（例えば、ループ構造部や構成繊維間の空隙部等）を係合凹部として備えた受容部材（例えば、ループ部材等）などを用いることができる。なお、当然ながら、吸収性物品の各係合部がフック部材からなる場合は、支持体の各係合部は受容部材からなり、吸収性物品の各係合部が受容部材からなる場合は、支持体の各係合部はフック部材からなる。
【００７５】
また、各係合部を形成し得るフック部材としては、本発明の効果を阻害しない限り特に制限されず、例えば、平坦なシート状基部と、該基部から垂直方向に突出する複数のマッシュルーム型の係合突起（すなわち、シート状基部から垂直方向に突出する軸部と、該軸部の先端（具体的には、シート状基部とは反対側に位置する軸部の先端）において該軸部の外周面が拡径する方向に膨らんだ拡径部とを有する係合突起）とを有するマッシュルーム型フック部材；平坦なシート状基部と、該基部から垂直方向に突出する複数のカギ型の係合突起（すなわち、シート状基部から垂直方向に突出する軸部の先端（具体的には、シート状基部とは反対側に位置する軸部の先端）が基部側に向かって折り返された構造を有する係合突起）とを有するカギ型フック部材などを用いることができる。中でも、マッシュルーム型フック部材を係合部として用いた場合は、当該フック部材が支持体の係合部（ループ部材等の受容部材）と係合固定しているときに、当該係合固定している部分が動物の動作等によって様々な方向に引っ張られたとしても、上記マッシュルーム型フック部材が上述の受容部材上のあらゆる方向の力に対応して係合状態を維持することができるため、上記フック部材（すなわち、吸収性物品の係合部）と上記受容部材（すなわち、支持体の係合部）との係合状態を強固に維持することができ、結果的に、吸収性物品を動物の腹部の適正な位置からずれ難くすることができる上、動物の胴体から外れ難くすることができる。さらに、このマッシュルーム型フック部材は、ループ部材以外の任意の受容部材（例えば、不織布、編布等の繊維構造体）と係合することが可能なため、支持体の係合部をループ部材によって形成する必要がなく、省資源化や低コスト化等の各種製品コンセプトに応じた多様な製品設計を実現することができる。
【００７６】
これらのフック部材の構成材料は、特に制限されず、例えば、ポリエステルやポリオレフィン、ポリアミド、ポリ塩化ビニル、オレフィン系エラストマー、ウレタン系エラストマーなどの任意の合成樹脂を用いることができ、さらに、かかる合成樹脂は単一種類の樹脂を用いても、二種類以上の樹脂を併用してもよい。
【００７７】
さらに、各係合部を形成し得る受容部材としては、本発明の効果を阻害しない限り特に制限されず、例えば、繊維又は合成樹脂からなるシート状基材の表面上に繊維又は合成樹脂からなる複数のループ構造部を有する構造体のほか、係合するフック部材の係合突起の構造等に応じて、不織布や編布等のシート状繊維構造体などを用いることもできる。なお、これらの構造体を構成する繊維又は合成樹脂の構成材料は、受容部材としての機能を発揮し得る限り特に制限されず、例えば、合成繊維（例えば、ポリエステル繊維、ナイロン繊維等）、天然繊維（例えば、綿、絹等）、再生繊維（例えば、レーヨン、キュプラ等）、半合成繊維（アセテート繊維等）などの任意の繊維、又はポリエステルやポリオレフィン等の任意の合成樹脂を用いることができ、これらの繊維又は合成樹脂は、それぞれ単独で用いても、二種類以上を併用してもよい。
【００７８】
なお、本発明において、吸収性物品の各係合部は、上述のとおりフック部材に限定されず、ループ部材等の受容部材によって形成されていてもよく、さらに、吸収性物品の長手方向の一方側の係合部がフック部材によって形成され、他方側の係合部が受容部材によって形成されていてもよい。
【００７９】
さらに、吸収性物品の各係合部の外形形状や各種寸法等は、本発明の効果を阻害しない限り特に制限されず、装着対象となる動物の大きさや体型などに応じた任意の外形形状や各種寸法等を採用することができる。
【００８０】
［バックフィルム］
上述の第１実施形態の使い捨ておむつ１において、バックフィルム１２Ｂは、平面視にて、使い捨ておむつ１の長手方向Ｌ及び幅方向Ｗに延在する縦長の矩形状の外形形状を有していて、図３及び図４に示すように、使い捨ておむつ１の厚さ方向Ｔにおいて、吸収体１３と裏面シート１２との間に配置されて、上述の表面シート１１や吸収体１３を透過してきた尿などの排泄物が漏出するのを裏面シート１２と共に防ぐ、液不透過性フィルムによって構成されている。本発明において、吸収性物品のバックフィルムは、上述の裏面シートと同様の液不透過性のシート状部材を用いることができ、例えば、疎水性の不織布、ＳＭＳ積層不織布、液不透過性のプラスチック製フィルム、及びこれらのシートを任意に組み合わせた積層シートなどを好適に用いることができる。
【００８１】
また、バックフィルムの外形形状や各種寸法等は、動物用の吸収性物品のバックフィルムとして用い得るものであれば特に制限されず、装着対象となる動物の大きさや体型などに応じた任意の外形形状や各種寸法等を採用することができる。
【００８２】
なお、動物用の吸収性物品にこのようなバックフィルムを設けることは、本発明においては必須の構成要件ではないため、動物用の吸収性物品は、このようなバックフィルムを有していなくてもよい。
【００８３】
そして、本発明において、上記した各種部材を用いて動物用の吸収性物品を製造する方法は、特に制限されず、当分野において公知の任意の製造方法を採用することができる。例えば、上述の第１実施形態の使い捨ておむつ１においては、当該使い捨ておむつ１を構成する各種部材、すなわち、長手方向Ｌの一方側の係合部１７及び他方側の係合部１８となるフック部材と、幅方向Ｗの一方側のサイドシート１４及び他方側のサイドシート１４’と、吸収体１３と、バックフィルム１２Ｂと、裏面シート１２とを図２乃至図４に示すよう重ねて、任意の接合手段（例えば、ホットメルト型接着剤による接着法やヒートシール法、超音波接合法等）によって接合することにより、製造することができる。
【００８４】
なお、本発明において、動物用の吸収性物品は、動物の腹部に対して動物の排出器官の排泄口を覆うように配置されて動物から排出される尿などの排泄物を吸収するものであれば、特に限定されず、上述の第１実施形態のような使い捨ておむつのほか、例えば、動物用の（軽）失禁パッド等の様々な動物用の吸収性物品に適用することができる。
【００８５】
＜支持体＞
以下、本発明の吸収性物品を動物の背部側から支持する支持体について、上述の第１実施形態の使い捨ておむつ１に適用される支持体２を用いて詳細に説明する。
【００８６】
図５は、使い捨ておむつ１を動物の背部側から支持するための支持体２を、展開した状態で胴体非対向面Ｓ２側から厚さ方向ＤＴに見た平面図であり、図６は、図５の支持体２のＶＩ−ＶＩ線に沿った断面図である。
支持体２は、図１、図５及び図６に示すように、雄犬などの動物の腹部に装着される使い捨ておむつ１を、動物の背部側から着脱自在に支持するための、再利用可能なシート状部材である。支持体２は、図５に示すように、平面視にて、装着時に動物の胴周り方向ＤＳに対応する第１方向Ｄ１と、該第１方向Ｄ１と直交し且つ装着時に動物の前後方向ＤＦに対応する第２方向Ｄ２とを有するとともに、第１方向Ｄ１及び第２方向Ｄ２に延在する四角形の四隅が直線状に切り欠かれたような略八角形の外形形状を有している。この略八角形の外形形状は、図５に示すように、支持体２の第１方向Ｄ１における一方側端縁ＥＬ１及び他方側端縁ＥＬ２と、第２方向Ｄ２における一方側端縁ＥＷ１及び他方側端縁ＥＷ２と、これら各端縁の間に位置する４つの傾斜部２９の各々の外方側端縁２９Ｅとを、８本の辺とする形で形成されている。
【００８７】
なお、本発明において、支持体の外形形状や各種寸法等は、本発明の効果を阻害しない限り特に制限されず、装着対象となる動物の背部において胴周りに沿うように配置することができ且つ動物の腹部に装着される吸収性物品を背部側から支持し得るものであれば、動物の種類や体型、サイズ等に応じた任意の外形形状（例えば、正方形、長方形、六角形、四隅の各々が円弧状の略長方形、第１方向の中央部が第２方向の外方側に膨出した形状（クラウン形状）、第１方向の中央部が第２方向の内方側に窪んだ形状（逆クラウン形状）など）や寸法等を採用することができる。
【００８８】
上述の支持体２は、図５及び図６に示すように、装着時に動物の胴体と対向する胴体対向面Ｓ1と、厚さ方向ＤＴにおいて胴体対向面Ｓ1の反対側に位置する胴体非対向面Ｓ2とを有しており、さらに、これらの胴体対向面Ｓ１及び胴体非対向面Ｓ２は、それぞれ支持体２の厚さ方向ＤＴに重ねられたシート状の内側表面材２１及び外側表面材２２によって形成されている。
また、内側表面材２１の胴体対向面Ｓ1には、支持体２の第１方向Ｄ１の両端部（図５における第１方向Ｄ１の一方側端部２５及び他方側端部２６）の各々において第２方向Ｄ２に延在し且つ使い捨ておむつ１の長手方向Ｌにおける一方の端部（図２における使い捨ておむつ１の長手方向Ｌの一方側端部１５及び他方側端部１６）を着脱自在に係合固定するための支持体側係合部（すなわち、第１方向Ｄ１の一方側の支持体側係合部２３及び他方側の支持体側係合部２４）が設けられている。
【００８９】
なお、図７は、支持体２に使い捨ておむつ１を固定した状態を模式的に示す斜視図であり、支持体２は、この図７に示すように、第１方向Ｄ１の一方側の支持体側係合部２３に対して、使い捨ておむつ１の長手方向Ｌの一方側端部１５に配置された係合部１７が着脱自在に係合固定され、第１方向Ｄ１の他方側の支持体側係合部２４に対して、使い捨ておむつ１の長手方向Ｌの他方側端部２６に配置された係合部１８が着脱自在に係合固定されるように用いられる。
【００９０】
また、支持体２は、図５及び図６に示すように、支持体２の外周端縁（すなわち、第１方向Ｄ１の一方側端縁ＥL1及び他方側端縁ＥL2、第２方向Ｄ２の一方側端縁ＥW1及び他方側端縁ＥW2並びに４つの傾斜部２９の各々の外方側端縁２９Ｅからなる支持体２の外周全体に沿った端縁）において、内側表面材２１及び外側表面材２２を挟むように支持体２の胴体対向面Ｓ１から胴体非対向面Ｓ２まで延在する、バイアステープからなる剛性補強部材を更に備えている。なお、後述する係合部剛性補強部材２７と第１方向剛性補強部材２８は、この支持体２の外周端縁の全体に沿って配置された剛性補強部材の一部分であり、それぞれ、第１方向Ｄ１の一方側の支持体側係合部２３及び他方側の支持体側係合部２４の各々において第２方向Ｄ２に沿って延在する部分の剛性補強部材と、第２方向Ｄ２の一方側端縁ＥＷ１及び他方側端縁ＥＷ２の各々において第１方向Ｄ１に沿って延在する部分の剛性補強部材とからなる。
【００９１】
以下、支持体を構成する各種部材について、上述の支持体２を用いて更に詳細に説明する。
【００９２】
［内側表面材］
支持体２において、内側表面材２１は、図５及び図６に示すように、平面視にて、支持体２の第１方向Ｄ１における一方側端縁ＥL1から他方側端縁ＥL2にわたって延在するとともに第２方向Ｄ２における一方側端縁ＥW1から他方側端縁ＥW2にわたって延在する四角形の四隅が直線状に切り欠かれたような略八角形の外形形状を有し、支持体２の厚さ方向ＤＴにおいて胴体対向面側の位置に配置されて動物の胴体との接触面（すなわち、支持体２の胴体対向面Ｓ１）を形成する、シート状部材によって構成されている。
【００９３】
なお、内側表面材の外形形状は、本発明の効果を阻害しない限り特に制限されず、装着対象となる動物の背部において胴周りに沿うように配置することができる所定の柔軟性と、動物の腹部に装着される吸収性物品を背部側から支持し得る所定の強度とを有するものであれば、動物の種類や体型、サイズ等に応じた任意の外形形状（例えば、正方形、長方形、六角形、四隅の各々が円弧状の略長方形、第１方向の中央部が第２方向の外方側に膨出した形状（クラウン形状）、第１方向の中央部が第２方向の内方側に窪んだ形状（逆クラウン形状）など）を採用することができる。
【００９４】
そして、上述の支持体２においては、内側表面材２１の全体がループ部材等の受容部材によって構成されており、後述する支持体側係合部２３、２４と一体に構成されている。なお、本発明において、内側表面材は、支持体側係合部と一体に構成されている必要はなく、後述するように、支持体側係合部として別部材の係合部材を配置してもよい。
【００９５】
本発明において、内側表面材として用い得るシート状部材は、支持体の内側表面材として用い得る所定の柔軟性及び強度を有し且つ洗濯等により再利用可能なものであれば特に制限されず、上述のループ部材等の受容部材のほか、フック部材（例えば、フックテープ等）等のシート状の係合部材；フェルトやフリース等の不織布；織布；メッシュ材等の編布；天然皮革；合成皮革；ポリオレフィンやポリエステル製シート等の樹脂製シートなどの様々なシート状部材を採用することができるが、柔軟性や通気性、肌触り、手入れのしやすさ（洗濯容易性）、強度などの点から、不織布や織布、編布等のシート状の繊維構造体を用いることが好ましい。さらに、内側表面材がこのようなシート状の繊維構造体からなる場合、その構成繊維は特に制限されず、例えば、合成繊維（例えば、ポリエステル繊維、ナイロン繊維等）、天然繊維（例えば、綿、絹等）、再生繊維（例えば、レーヨン、キュプラ等）、半合成繊維（アセテート繊維等）等の任意の繊維を用いることができ、これらの繊維は単独で用いても、二種類以上の繊維を併用してもよい。
【００９６】
さらに、本発明において、内側表面材として用い得るシート状部材の構造は、特に制限されず、平坦な無孔シートのほか、メッシュシート等の有孔シート、凹凸構造を有するシートなども好適に用いることができる。また、内側表面材として用い得るシート状部材は、単層構造のシートであっても、二層以上の多層構造を有するシートであってもよい。
【００９７】
なお、内側表面材として用い得るシート状部材の厚みや寸法、坪量等は、本発明の効果を阻害しない限り特に制限されず、所望の柔軟性や強度、通気性、肌触り等に応じた任意の寸法形状や厚み等を採用することができる。
【００９８】
そして、上述の支持体２においては、内側表面材２１の胴体対向面Ｓ１に、支持体２の第１方向Ｄ１の一方側端部２５及び他方側端部２６の各々において第２方向Ｄ２に延在し且つ使い捨ておむつ１の長手方向Ｌの長手方向Ｌの一方側の係合部１７及び他方側の係合部１８をそれぞれ着脱自在に固定するための支持体側係合部、すなわち、第１方向Ｄ１の一方側の支持体側係合部２３及び他方側の支持体側係合部２４が設けられている。
【００９９】
［支持体側係合部］
支持体２において、第１方向Ｄ１の一方側の支持体側係合部２３及び他方側の支持体側係合部２４は、上述のとおり、それぞれ内側表面材２１の一部として、係合部材の一種であるループ部材等の受容部材によって構成されている。したがって、支持体２に使い捨ておむつ１を固定する際は、支持体２の第１方向Ｄ１の一方側の支持体側係合部２３（受容部材）に対して、使い捨ておむつ１の長手方向Ｌの一方側の係合部１７（フック部材）が係合し、支持体２の第１方向Ｄ１の他方側の係合部２４（受容部材）に対して、使い捨ておむつ１の長手方向Ｌの他方側の係合部１８（フック部材）が係合するようになっている。
【０１００】
なお、上述のとおり、支持体２においては、内側表面材２１の全体が受容部材によって構成されており、各支持体側係合部２３、２４は、内側表面材２１と一体に構成されている。ここで、各支持体側係合部（すなわち、支持体の第１方向の一方側の支持体側係合部及び他方側の支持体側係合部）は、平面視にて、支持体の第１方向の各端部内において所定の第１方向長さ及び第２方向長さを有する部分であり、吸収性物品の長手方向の両端部を固定したときに、吸収性物品が剥落しない程度の剥離強度を呈する所定の面積を有する部分として画定することができる。より具体的には、支持体の第１方向の一方側の支持体側係合部及び他方側の支持体側係合部は、それぞれ第１方向端縁（すなわち、第１方向の一方側端縁及び他方側端縁）を含んで第１方向の内方側に延在し且つ当該第１方向端縁からの第１方向長さが第１方向全長さ（この第１方向全長さを１００％とする。）の２５％未満となる範囲内の部分として画定することができる。
【０１０１】
上述の支持体２のように、内側表面材の全体が受容部材によって構成されている（すなわち、支持体側係合部が内側表面材の一部として構成されている）と、第１方向の一方側の支持体側係合部と他方側の支持体側係合部との間の領域においても、吸収性物品の長手方向の両端部を係合により固定することが可能となるため、動物の態様や吸収性物品の装着状態等に応じて、吸収性物品の固定位置をより広い範囲で調節し易くなり、吸収性物品及び支持体をより的確に動物の胴体に対して装着することができる。また、内側表面材の全体がループ部材等の受容部材によって構成されていると、支持体に、吸収性物品の係合部に対応する係合部材を別途設ける必要がないため、支持体の構成部材の数を少なくすることができる上、支持体の剛性が過度に増大するようなことを生じ難くすることができるという利点もある。
さらに、支持体の胴体対向面に設けられた支持体側係合部がループ部材のような受容部材によって形成されていると、かかる受容部材は、吸収性物品の係合部（フック部材）の係合突起を受け入れる係合凹部を有するものの、係合突起を有していないため、支持体の装着時に、支持体の胴体対向面に設けられた支持体側係合部（受容部材）に動物の毛が絡まったり、係合突起によって動物の胴体にチクチクとした刺激を与えたりするのを防ぐことができる。その結果、かかる支持体は、装着時に動物が嫌がり難く、動物の背部の適正な位置に装着した状態を維持し易くなるという利点がある。
【０１０２】
但し、本発明において、支持体の支持体側係合部は、上述の支持体２のように内側表面材の一部として構成されている必要はなく、例えば、支持体側係合部は、内側表面材の胴体対向面において、支持体の第１方向の一方側端部及び他方側端部の各々に配置された係合部材によって構成されていてもよい。支持体側係合部が内側表面材とは異なる別部材（すなわち、係合部材）によって構成されていると、当該係合部材によって支持体側係合部に所定の剛性を確保することができるため、内側表面材としてより柔軟性の高いシート状部材を用いることができ、支持体の、動物の胴体に対するフィット性や肌触りを更に向上させることができるという利点がある。
【０１０３】
本発明において、支持体の係合部を形成し得る係合部材は、本発明の効果を阻害しない限り特に制限されず、上述の吸収性物品の係合部を形成し得る係合部材と同様の受容部材やフック部材を用いることができる。
【０１０４】
なお、支持体の支持体側係合部が、上述の支持体２のようなループ部材等の受容部材によって形成されていると、かかる受容部材は、通常、フック部材と比べて、繰り返し行われる係合部材同士の着脱動作に対して耐久性が高いため、上述の支持体をより長期にわたって繰り返し使用することができるという利点がある。
【０１０５】
また、本発明において、支持体の支持体側係合部の外形形状や各種寸法等は、本発明の効果を阻害しない限り特に制限されず、装着対象となる動物の大きさや体型などに応じた任意の外形形状や各種寸法等を採用することができるが、支持体側係合部は、吸収性物品の吸収体の幅方向長さ以上の第２方向長さを有していることが好ましい。支持体側係合部が、吸収性物品の吸収体の幅方向長さ以上の第２方向長さを有していると、第１方向の一方側の支持体側係合部及び他方側の支持体側係合部の各々において、第２方向の剛性を少なくとも吸収体の幅方向長さ以上の範囲で確保し易くなるため、支持体及び吸収性物品の装着時に動物が動いたりしても、吸収性物品を動物の前後方向に縮み難くすることができ、吸収体の幅方向におけるヨレや潰れをより一層生じ難くすることができる。
【０１０６】
さらに、支持体の支持体側係合部は、図５に示す支持体２のように、支持体の第１方向の両端部において、第２方向に沿って連続的に延在していることが好ましい。支持体側係合部が、支持体の第１方向の両端部において、第２方向に沿って連続的に延在していると、当該支持体側係合部において第２方向の剛性を更に確保し易くなるため、当該支持体側係合部に固定される吸収性物品を、より一層動物の前後方向に縮み難くすることができるという利点がある。なお、本発明において、支持体側係合部の形態は、このような態様に限定されず、支持体側係合部は、支持体の第１方向の両端部において、本発明の効果を阻害しない範囲内で第２方向に沿って間欠的に延在していてもよい。
【０１０７】
また、上述の支持体２においては、支持体側係合部２３、２４が、支持体２の胴体対向面Ｓ１に設けられているが、本発明において、支持体側係合部の配置形態は、本発明の効果を阻害しない限り特に限定されず、支持体側係合部は、後述する実施形態のように、支持体の胴体非対向面に設けられていてもよい。より具体的には、外側表面材全体が受容部材又はフック部材からなる係合部材によって構成されていてもよく（すなわち、支持体側係合部が外側表面材の一部として構成されていてもよく）、或いは、支持体側係合部が、外側表面材の胴体非対向面において、支持体の第１方向の一方側端部及び他方側端部の各々に配置された係合部材（すなわち、外側表面材とは別部材の係合部材）によって構成されていてもよい。
【０１０８】
なお、支持体側係合部が、上述の支持体２のように、支持体の胴体対向面に設けられていると、図７に示すように、支持体と吸収性物品を動物の胴体に装着する際に、支持体の係合部（係合部材）が吸収性物品の胴体非対向面に配置される係合部を背部側から覆い隠すように係合することとなるため、かかる吸収性物品を装着された動物や他の動物が吸収性物品を剥がし難くなるとともに、吸収性物品の長手方向（装着時における動物の胴周り方向）の両端部が動物の胴体表面に対して支持体よりも相対的に近位側に位置することで、動物から排出された尿などの排泄物が吸収性物品を伝って動物の胴周り方向に拡散したとしても、当該排泄物を外部に漏出し難くすることができるという利点がある。
【０１０９】
［外側表面材］
支持体２において、外側表面材２２は、図５及び図６に示すように、平面視にて、支持体２の第１方向Ｄ１における一方側端縁ＥL1から他方側端縁ＥL2にわたって延在するとともに第２方向Ｄ２における一方側端縁ＥW1から他方側端縁ＥW2にわたって延在する四角形の四隅が直線状に切り欠かれたような略八角形の外形形状を有し、支持体２の厚さ方向ＤＴにおいて胴体非対向面側の位置に配置されて動物の胴体との非接触面（すなわち、支持体２の胴体非対向面Ｓ２）を形成する、シート状部材によって構成されている。
【０１１０】
なお、外側表面材の外形形状は、本発明の効果を阻害しない限り特に制限されず、装着対象となる動物の背部において胴周りに沿うように配置することができる所定の柔軟性と、動物の腹部に装着される吸収性物品を背部側から支持し得る所定の強度とを有するものであれば、動物の種類や体型、サイズ等に応じた任意の外形形状（例えば、正方形、長方形、六角形、四隅の各々が円弧状の略長方形、第１方向の中央部が第２方向の外方側に膨出した形状（クラウン形状）、第１方向の中央部が第２方向の内方側に窪んだ形状（逆クラウン形状）など）を採用することができる。
【０１１１】
また、本発明において、外側表面材として用い得るシート状部材は、支持体の外側表面材として用い得る所定の柔軟性及び強度を有し且つ洗濯等により再利用可能なものであれば特に制限されず、上述の内側表面材と同様のシート状部材を採用することができる。さらに、外側表面材として用い得るシート状部材の構造も、特に制限されず、平坦な無孔シートのほか、メッシュシート等の有孔シート、凹凸構造を有するシートなども好適に用いることができる。また、外側表面材として用い得るシート状部材は、単層構造のシートであっても、二層以上の多層構造を有するシートであってもよい。
【０１１２】
なお、外側表面材として用い得るシート状部材の厚みや寸法、坪量等は、本発明の効果を阻害しない限り特に制限されず、所望の柔軟性や強度、通気性等に応じた任意の寸法形状や厚み等を採用することができる。
【０１１３】
［剛性補強部材］
支持体２は、図５及び図６に示すように、支持体２の外周端縁（すなわち、第１方向Ｄ１の一方側端縁ＥL1及び他方側端縁ＥL2、第２方向Ｄ２の一方側端縁ＥW1及び他方側端縁ＥW2並びに４つの傾斜部２９の各々の外方側端縁２９Ｅからなる支持体２の外周全体に沿った端縁）において、内側表面材２１及び外側表面材２２を挟むように支持体２の胴体対向面Ｓ１から胴体非対向面Ｓ２まで延在する、バイアステープからなる剛性補強部材を備えている。さらに、この剛性補強部材は、図５に示すように、第１方向Ｄ１の一方側の支持体側係合部２３及び他方側の支持体側係合部２４の各々において第２方向Ｄ２に沿って延在する部分としての、係合部剛性補強部材２７と、第２方向Ｄ２の一方側端縁ＥＷ１及び他方側端縁ＥＷ２の各々において第１方向Ｄ１に沿って延在する部分としての、第１方向剛性補強部材２８と、を有している。
【０１１４】
なお、係合部剛性補強部材２７及び第１方向剛性補強部材２８は、それぞれ第２方向Ｄ２及び第１方向Ｄ１において、必ずしも全体的に延在していなくてもよく、少なくとも部分的に延在していればよい。支持体が、第１方向の一方側の支持体側係合部及び他方側の支持体側係合部の各々において第２方向に沿って少なくとも部分的に延在する係合部剛性補強部材を有していると、上述の各支持体側係合部において相対的に剛性が高くなるため、支持体及び吸収性物品の装着時に動物が大きく動いて支持体自体が変形してしまうような場合でも、かかる変形を各支持体側係合部以外の箇所に集中させつつ、当該各支持体側係合部においては少なくとも動物の前後方向に変形し難くすることができるという利点がある。さらに、支持体が、第１方向に沿って少なくとも部分的に延在する第１方向剛性補強部材を有していると、支持体及び吸収性物品の装着時に動物の動作等によって支持体の第２方向（装着時における動物の前後方向）に力が加わるような場合でも、当該第２方向と直交する第１方向に延在する第１方向剛性補強部材の張力によって上述の力に抗することができ、支持体全体を動物の前後方向に更に変形し難くすることができるという利点がある。
【０１１５】
なお、上述の支持体２においては、剛性補強部材は、支持体２の外周端縁において、縫合により、内側表面材２１の胴体対向面Ｓ１及び外側表面材２２の胴体非対向面Ｓ２のそれぞれと接合されている。具体的には、剛性補強部材が、内側表面材２１及び外側表面材２２の積層物を胴体対向面Ｓ１側及び胴体非対向面Ｓ２側の両側から挟むようにして配置されていて、さらに、厚さ方向ＤＴに並ぶ胴体対向面Ｓ１側の剛性補強部材、内側表面材２１、外側表面材２２及び胴体非対向面Ｓ２側の剛性補強部材が、縫合糸によって厚さ方向ＤＴに縫い合わされることにより、一体的に接合されている。なお、剛性補強部材を上述の胴体対向面及び胴体非対向面に接合する手段は、特に制限されず、上述の縫合手段のほか、例えば、エンボス加工等の圧搾手段、ホットメルト型接着剤等を用いた接着手段、超音波等を用いた熱融着手段などの任意の接合手段を採用することができる。
【０１１６】
本発明の支持体に用い得る剛性補強部材としては、一定の剛性（強度）を有する帯状部材であれば上述のバイアステープに限定されず、例えば、織布、不織布、樹脂製フィルム及びこれらを２種類以上組み合わせた積層シートなどからなる帯状部材を用いることができる。また、かかる帯状部材は、支持体を動物の胴体に対してフィットし易くする点から、その長手方向において伸縮性を有するものが好ましい。このような長手方向に伸縮性を有する帯状部材としては、例えば、ウレタン繊維を織り込んだバイアステープ、ポリウレタン繊維やゴムなどの弾性材が織り込まれた織布、弾性材を含む伸縮性不織布、合成繊維又は天然繊維により編織成されたネット状生地などが挙げられる。なお、上述の支持体２においては、剛性補強部材として長手方向に伸縮性を有するバイアステープが用いられている。
【０１１７】
また、上述の支持体２においては、剛性補強部材は、図５に示すように、支持体２の外周端縁の全体にわたって配置されているが、本発明においてはこのような配置形態に限定されず、剛性補強部材は、支持体の外周端縁の一部に配置されていてもよい。さらに、上述の係合部剛性補強部材及び第１方向剛性補強部材も、上述の配置形態に限定されず、係合部剛性補強部材及び第１方向剛性補強部材は、それぞれ個別の剛性補強部材として独立に配置されていてもよい。
【０１１８】
なお、剛性補強部材として用い得る帯状部材の寸法形状や厚み等は、かかる帯状部材が剛性補強部材として機能し得る限り特に制限されず、所望の剛性、柔軟性等に応じた任意の寸法形状や厚み等を採用することができる。
【０１１９】
また、本発明においては、支持体は、外周端縁に配置される剛性補強部材以外に、例えば、上述の内側表面材と外側表面材との間に配置されるシート状の剛性補強部材を備えていてもよい。このシート状の剛性補強部材としては、所定の剛性を有し且つ洗濯等により再利用可能なものであれば特に制限されず、例えば、平織物等の織布；不織布；編布；天然皮革；合成皮革；ポリオレフィンやポリエステル製シート等の樹脂製シートなどの様々なシート状部材を用いることができるが、剛性や一定の柔軟性、通気性、強度などの点から、織布や不織布、編布等の繊維シートを用いることが好ましい。また、このシート状の剛性補強部材として用い得るシート状部材の寸法形状や厚み等も、特に制限されず、所望の剛性や柔軟性、通気性等に応じた任意の寸法形状や厚み等を採用することができる。
【０１２０】
なお、本発明においては、支持体がこれらの剛性補強部材（すなわち、支持体の外周端縁に配置される剛性補強部材や内側表面材と外側表面材との間に配置されるシート状の剛性補強部材）以外の構成部材（例えば、内側表面材や外側表面材、支持体側係合部の係合部材等）によって、支持体全体として所定の剛性を有している場合には、支持体は、必ずしもこのような剛性補強部材を備えていなくてもよい。
【０１２１】
また、上記した各種部材によって構成される支持体の製造方法は、特に制限されず、例えば、支持体は、内側表面材や外側表面材、支持体側係合部の係合部材等を、任意の接合手段（例えば、接着手段、縫合手段等）を用いて或いは用いずに積層して積層物を得た後、必要に応じて当該積層物の外周端縁に剛性補強部材を任意の接合手段を用いて接合することにより、製造することができる。
【０１２２】
＜動物用の排泄物処理セット＞
さらに、本発明は、図７に示すように、使い捨ておむつ１と支持体２とを備えた動物用のおむつセット３（本発明の「動物用の排泄物処理セット」の一例である。）のように、上記した本発明の動物用の吸収性物品と支持体とを備えた動物用の排泄物処理セットを含む。このような動物用の排泄物処理セットは、上記した本発明の吸収性物品を用いていることにより、吸収性物品が動物の前後方向に縮み難く、吸収性物品に動物の胴周り方向に沿った複数の大きな皺や襞が形成され難くなっているため、動物の腹部表面と吸収性物品との間に皺や襞に起因する隙間が形成され難く、結果的に排泄物を外部へ漏出し難くすることができる。
【０１２３】
また、本発明の第１実施形態に係る使い捨ておむつ１と支持体２とを備えた上述の動物用のおむつセット３においては、支持体２の支持体側係合部２３、２４の各々が、図５に示すように、支持体２の第１方向Ｄ１の両端部（すなわち、第１方向Ｄ１の一方側端部２５及び他方側端部２６）の各々において、それぞれ支持体２の第１方向端縁（すなわち、第１方向Ｄ１の一方側端縁ＥＬ１及び他方側端縁ＥＬ２）を含む位置に配置されている。このように、支持体側係合部２３、２４の各々がそれぞれ支持体２の第１方向端縁を含む位置に配置されていると、装着時に、支持体側係合部２３、２４の各々を、支持体２の長手方向端縁に至る部分まで使い捨ておむつ１の各係合部１７、１８と係合させることができるため、使い捨ておむつ１及び支持体２の装着時における、支持体２の第１方向端縁における捲れ及びそれに起因する支持体２及び使い捨ておむつ１の位置ずれや剥落等を更に生じ難くすることができる。これにより、上述の動物用のおむつセット３は、上述の使い捨ておむつ１及び支持体２によって奏される作用効果や機能を、より長期にわたって安定的に発揮することができる。
【０１２４】
なお、本発明において、吸収性物品と支持体との固定形態（具体的には、吸収性物品の各係合部及び支持体の各支持体側係合部の配置形態）は、本発明の効果を阻害しない限り、上述の第１実施形態に係る使い捨ておむつ１を用いたおむつセット３の態様に限定されず、任意の固定形態を採用することができる。
以下、上述の第１実施形態に係る使い捨ておむつ１とは係合部の配置形態が異なる（すなわち、支持体の支持体側係合部の配置形態も異なる）本発明の別の実施形態（第２実施形態乃至第６実施形態）に係る吸収性物品、及びそれを用いた排泄物処理セットについて、図面を参照しながら説明する。なお、上述の第１実施形態と異なる構成以外の構成は、基本的に上述の第１実施形態と同様であるため、説明を省略する。
【０１２５】
＜第２実施形態＞
図８は、本発明の第２実施形態に係る使い捨ておむつ１Ａを、展開した状態で胴体対向面Ｆ１側から厚さ方向Ｔに見た平面図であり、図９は、使い捨ておむつ１Ａを支持体２Ａに固定した状態を模式的に示す斜視図である。
【０１２６】
本第２実施形態の使い捨ておむつ１Ａは、図８に示すように、長手方向Ｌの一方側の係合部１７Ａ及び他方側の係合部１８Ａの各々が、一対のサイドシート１４、１４’の胴体対向面Ｆ１側に位置し且つ長手方向Ｌの一方側端部１５及び他方側端部１６の各々において幅方向Ｗに延在するように配置された、フック部材によって構成されている。
一方、支持体２Ａは、図９に示すように、第１方向Ｄ１の一方側の支持体側係合部２３Ａ及び他方側の支持体側係合部２４Ａの各々が、第１方向Ｄ１の一方側端部２５及び他方側端部２６の各々において、それぞれ受容部材からなる外側表面材２２の一部として支持体２Ａの胴体非対向面Ｓ２に配置されている。
したがって、本第２実施形態の使い捨ておむつ１Ａと支持体２Ａとを備えた動物用のおむつセット３Ａにおいては、図９に示すように、支持体２Ａの胴体非対向面Ｓ２に配置された第１方向Ｄ１の一方側の支持体側係合部２３Ａ（受容部材）に対して、使い捨ておむつ１Ａの胴体対向面Ｆ１に配置された長手方向Ｌの一方側の係合部１７Ａ（フック部材）が係合し、支持体２Ａの胴体非対向面Ｓ２に配置された第１方向Ｄ１の他方側の支持体側係合部２４Ａ（受容部材）に対して、使い捨ておむつ１Ａの胴体対向面Ｆ１に配置された長手方向Ｌの他方側の係合部１８Ａ（フック部材）が係合することにより、使い捨ておむつ１Ａと支持体２Ａとが動物の胴体に装着される。
【０１２７】
本第２実施形態の使い捨ておむつ１Ａにおいては、長手方向Ｌの一方側の係合部１７Ａ及び他方側の係合部１８Ａの各々が、使い捨ておむつ１Ａの胴体対向面Ｆ１に配置されているため、使い捨ておむつ１Ａと支持体２Ａを動物の胴体に装着する際に、支持体２Ａを動物の背部に配置してから、使い捨ておむつ１Ａを動物の腹部から胴周りに沿わせて配置し、上述の各係合部１７Ａ、１８Ａを支持体２Ａの胴体非対向面Ｓ２に係合させることとなり、動物の毛を支持体２Ａで押さえながら使い捨ておむつ１Ａを係合固定することで、使い捨ておむつ１Ａと支持体２Ａの係合部分に動物の毛を巻き込まないようにして使い捨ておむつ１Ａを動物の腹部に装着することができる。これにより、本第２実施形態の使い捨ておむつ１Ａは、動物の腹部に対してより精度よく、より的確に装着することができ、動物の排泄物の漏出を更に生じ難くすることができる。
【０１２８】
＜第３実施形態＞
次に、本発明の第３実施形態に係る使い捨ておむつ１Ｂについて、図面を参照しながら説明する。図１０は、本発明の第３実施形態に係る使い捨ておむつ１Ｂを、展開した状態で胴体対向面Ｆ１側から厚さ方向Ｔに見た平面図であり、図１１は、使い捨ておむつ１Ｂを支持体２Ｂに固定した状態を模式的に示す斜視図である。
【０１２９】
本第３実施形態の使い捨ておむつ１Ｂは、図１０に示すように、長手方向Ｌの一方側の係合部１７Ｂが、裏面シート１２の胴体非対向面Ｆ２側に位置し且つ長手方向Ｌの一方側端部１５において幅方向Ｗに延在するように配置されたフック部材によって構成され、長手方向Ｌの他方側の係合部１８Ｂが、一対のサイドシート１４、１４’の胴体対向面Ｆ１側に位置し且つ長手方向Ｌの他方側端部１６において幅方向Ｗに延在するように配置されたフック部材によって構成されている。
一方、支持体２Ｂは、図１１に示すように、第１方向Ｄ１の一方側の支持体側係合部２３Ｂが、第１方向Ｄ１の一方側端部２５において、受容部材からなる内側表面材２１の一部として支持体２Ｂの胴体対向面Ｓ１に配置され、第１方向Ｄ１の他方側の支持体側係合部２４Ｂが、第１方向Ｄ１の他方側端部２６において、受容部材からなる外側表面材２２の一部として支持体２Ｂの胴体非対向面Ｓ２に配置されている。
したがって、本第３実施形態の使い捨ておむつ１Ｂと支持体２Ｂとを備えた動物用のおむつセット３Ｂにおいては、図１１に示すように、支持体２Ｂの胴体対向面Ｓ１に配置された第１方向Ｄ１の一方側の支持体側係合部２３Ｂ（受容部材）に対して、使い捨ておむつ１Ｂの胴体非対向面Ｆ２に配置された長手方向Ｌの一方側の係合部１７Ｂ（フック部材）が係合し、支持体２Ｂの胴体非対向面Ｓ２に配置された第１方向Ｄ１の他方側の支持体側係合部２４Ｂ（受容部材）に対して、使い捨ておむつ１Ｂの胴体対向面Ｆ１に配置された長手方向Ｌの他方側の係合部１８Ｂ（フック部材）が係合することにより、使い捨ておむつ１Ｂと支持体２Ｂとが動物の胴体に装着される。
【０１３０】
本第３実施形態の使い捨ておむつ１Ｂにおいては、長手方向Ｌの一方側の係合部１７Ｂが、使い捨ておむつ１Ｂの胴体非対向面Ｆ２に配置され、長手方向Ｌの他方側の係合部１８Ｂが、使い捨ておむつ１Ｂの胴体対向面Ｆ１に配置されているため、例えば、寝たきり等の横たわった状態の動物に対して使い捨ておむつ１Ｂと支持体２Ｂを装着する際に、使い捨ておむつ１Ｂの胴体非対向面Ｆ２に配置された一方の係合部１７Ｂが横たわった状態の動物の胴体の下側に位置するように装着することで、動物の胴体の下側においては、使い捨ておむつ１Ｂの長手方向Ｌにおける一方の端部が動物の胴体表面に対して支持体２Ｂよりも相対的に近位側に位置し、動物から排出された尿などの排泄物が使い捨ておむつ１Ｂを伝って動物の胴体の下側へ向かって拡散したとしても、当該排泄物を外部に漏出し難くすることができ、また、横たわった状態の動物の胴体の上側においては、使い捨ておむつ１Ｂの胴体対向面Ｆ１に配置された他方の係合部１８Ｂが支持体２Ｂの胴体非対向面Ｓ２に係合されることで、横たわった状態の動物の胴体に対する使い捨ておむつ１Ｂの密着状態や締め付け状態、位置等を調節し易く、より適切な状態で使い捨ておむつ１Ｂを動物の胴体に装着することができる。これにより、本第３実施形態の使い捨ておむつ１Ｂは、寝たきり等の横たわった状態の動物に対しても、使い捨ておむつ１Ｂを適切に装着することができ、かかる使い捨ておむつ１Ｂによって奏される作用効果を的確且つ効果的に発揮することができる。
【０１３１】
＜第４実施形態＞
次に、本発明の第４実施形態に係る使い捨ておむつ１Ｃについて、図面を参照しながら説明する。図１２は、本発明の第４実施形態に係る使い捨ておむつ１Ｃを、展開した状態で胴体対向面Ｆ１側から厚さ方向Ｔに見た平面図であり、図１３は、使い捨ておむつ１Ｃを支持体２Ｃに固定した状態を模式的に示す斜視図である。
【０１３２】
本第４実施形態の使い捨ておむつ１Ｃは、長手方向Ｌの一方側の係合部１７Ｃ及び他方側の係合部１８Ｃと吸収体１３Ｃの各長手方向長さが長く形成されていること以外は、上述の第１実施形態の使い捨ておむつ１と同様の構成を備えている。すなわち、本第４実施形態の使い捨ておむつ１Ｃは、図１２に示すように、長手方向Ｌの一方側の係合部１７Ｃ及び他方側の係合部１８Ｃの各々が、裏面シート１２の胴体非対向面Ｆ２側に位置し且つ長手方向Ｌの一方側端部１５及び他方側端部１６の各々において幅方向Ｗに延在するように配置された、フック部材によって構成されているとともに、吸収体１３Ｃと厚さ方向Ｔに重なるように所定の長手方向長さを有している。より具体的には、図１２に示すように、長手方向Ｌの一方側の係合部１７Ｃは、長手方向内方側端縁１７ＣＥが平面視にて吸収体１３Ｃの長手方向Ｌの一方側端縁１３ＣＥよりも長手方向Ｌの内方側に位置するように、所定の長手方向長さを有していて、さらに、長手方向Ｌの他方側の係合部１８Ｃも、長手方向内方側端縁１８ＣＥが平面視にて吸収体１３Ｃの長手方向Ｌの他方側端縁１３ＣＥ’よりも長手方向Ｌの内方側に位置するように、所定の長手方向長さを有している。なお、吸収体１３Ｃも上述の長手方向Ｌの一方側の係合部１７Ｃ及び他方側の係合部１８Ｃの各々と厚さ方向Ｔに重なるように所定の長手方向長さを有している。
このように、長手方向Ｌの一方側の係合部１７Ｃ及び他方側の係合部１８Ｃの各々と、吸収体１３Ｃとが厚さ方向Ｔに重なった部分として画定される重複部Ｒ２は、上述の各係合部１７Ｃ、１８Ｃ、表面シート１１、吸収体１３Ｃ、裏面シート１２及びバックフィルム１２Ｂからなる５層の積層構造を有していて、他の部分と比べて相対的に高い剛性を有している。
【０１３３】
一方、支持体２Ｃは、図１３に示すように、第１方向Ｄ１の一方側の支持体側係合部２３Ｃ及び他方側の支持体側係合部２４Ｃの各々が、第１方向Ｄ１の一方側端部２５及び他方側端部２６の各々において、それぞれ受容部材からなる内側表面材２１の一部として支持体２Ｃの胴体対向面Ｓ１に配置された、上述の支持体２と同様の構成を備えている。
したがって、本第４実施形態の使い捨ておむつ１Ｃと支持体２Ｃとを備えた動物用のおむつセット３Ｃにおいては、上述の第１実施形態の使い捨ておむつ１と支持体２とを備えた動物用のおむつセット３と同様にして、支持体２Ｃの胴体対向面Ｓ１に配置された第１方向Ｄ１の一方側の支持体側係合部２３Ｃ（受容部材）に対して、使い捨ておむつ１Ｃの胴体非対向面Ｆ２に配置された長手方向Ｌの一方側の係合部１７Ｃ（フック部材）が係合し、支持体２Ｃの胴体対向面Ｓ１に配置された第１方向Ｄ１の他方側の支持体側係合部２４Ｃ（受容部材）に対して、使い捨ておむつ１Ｃの胴体非対向面Ｆ２に配置された長手方向Ｌの他方側の係合部１８Ｃ（フック部材）が係合することにより、使い捨ておむつ１Ｃと支持体２Ｃとが動物の胴体に装着される。
【０１３４】
本第４実施形態においては、使い捨ておむつ１Ｃが、吸収体１３Ｃと各係合部１７Ｃ、１８Ｃとが厚さ方向Ｔに重なる重複部Ｒ２を有しているため、使い捨ておむつ１Ｃ及び支持体２Ｃの装着時に、支持体２Ｃから重複部Ｒ２を介して使い捨ておむつ１Ｃの吸収体１３Ｃに至るまで、動物の胴周り方向ＤＳに沿って連続的に所定の剛性（具体的には、動物の前後方向ＤＦに圧縮するように掛かる力に抗する剛性）を確保し易く、使い捨ておむつ１Ｃを動物の前後方向ＤＦに更に縮み難くすることができる。これにより、本第４実施形態の使い捨ておむつ１Ｃと支持体２Ｃとを備えた動物用のおむつセット３Ｃは、排泄物の漏出をより確実に生じ難くすることができる。
【０１３５】
＜第５実施形態＞
次に、本発明の第５実施形態に係る使い捨ておむつ１Ｄについて、図面を参照しながら説明する。図１４は、本発明の第５実施形態に係る使い捨ておむつ１Ｄを、展開した状態で胴体対向面Ｆ１側から厚さ方向Ｔに見た平面図であり、図１５は、使い捨ておむつ１Ｄを動物の背部側から支持するための支持体２Ｄを、展開した状態で胴体非対向面Ｓ２側から厚さ方向ＤＴに見た平面図である。さらに、図１６は、使い捨ておむつ１Ｄを支持体２Ｄに固定した状態を模式的に示す斜視図である。
【０１３６】
本第５実施形態の使い捨ておむつ１Ｄは、図１４に示すように、長手方向Ｌの一方側の係合部１７Ｄ及び他方側の係合部１８Ｄの各々が、受容部材である不織布からなる裏面シート１２の一部として使い捨ておむつ１Ｄの胴体非対向面Ｆ２に配置されていること以外は、上述の第１実施形態の使い捨ておむつ１と同様の構成を備えている。
一方、支持体２Ｄは、図１５に示すように、第１方向Ｄ１の一方側の支持体側係合部２３Ｄ及び他方側の支持体側係合部２４Ｄの各々が、支持体２Ｄの胴体対向面Ｓ１側に位置し且つ第１方向Ｄ１の一方側端部２５及び他方側端部２６の各々において第２方向Ｄ２に延在するように配置されたフック部材によって構成されている。すなわち、支持体２Ｄは、第１方向Ｄ１の一方側の支持体側係合部２３Ｄ及び他方側の支持体側係合部２４Ｄの各々がフック部材によって構成されていること以外は、上述の支持体２と同様の構成を備えている。
したがって、本第５実施形態の使い捨ておむつ１Ｄと支持体２Ｄとを備えた動物用のおむつセット３Ｄにおいては、図１６に示すように、上述の第１実施形態の使い捨ておむつ１と支持体２とを備えた動物用のおむつセット３と同様にして、支持体２Ｄの胴体対向面Ｓ１に配置された第１方向Ｄ１の一方側の支持体側係合部２３Ｄ（フック部材）に対して、使い捨ておむつ１Ｄの胴体非対向面Ｆ２に配置された長手方向Ｌの一方側の係合部１７Ｄ（受容部材）が係合し、支持体２Ｄの胴体対向面Ｓ１に配置された第１方向Ｄ１の他方側の支持体側係合部２４Ｄ（フック部材）に対して、使い捨ておむつ１Ｄの胴体非対向面Ｆ２に配置された長手方向Ｌの他方側の係合部１８Ｃ（受容部材）が係合することにより、使い捨ておむつ１Ｄと支持体２Ｄとが動物の胴体に装着される。
【０１３７】
本第５実施形態の使い捨ておむつ１Ｄと支持体２Ｄとを備えた動物用のおむつセット３Ｄにおいては、支持体２Ｄが第１方向Ｄ１の両端部（すなわち、第１方向Ｄ１の一方側端部２５及び他方側端部２６の各々）の胴体対向面Ｓ１において支持体側係合部２３Ｄ、２４Ｄを有しているため、使い捨ておむつ１Ｄと支持体２Ｄを動物の胴体に装着する際に、支持体２Ｄの支持体側係合部２３Ｄ、２４Ｄが使い捨ておむつ１Ｄの胴体非対向面Ｆ２における各係合部１７Ｄ、１８Ｄを背部側から覆い隠すように係合することとなり、かかる使い捨ておむつ１Ｄを装着された動物や他の動物が使い捨ておむつ１Ｄを剥がし難くなるとともに、使い捨ておむつ１Ｄの長手方向Ｌ（すなわち、動物の胴周り方向ＤＳ）の両端部が動物の胴体表面に対して支持体２Ｄよりも相対的に近位側に位置することで、動物から排出された尿などの排泄物が使い捨ておむつ１Ｄを伝って動物の胴周り方向ＤＳに拡散したとしても、当該排泄物を外部に漏出し難くすることができる。
さらに、上述の動物用のおむつセット３Ｄにおいては、支持体側係合部２３Ｄ、２４Ｄの各々が第２方向Ｄ２（すなわち、動物の前後方向ＤＦ）に延在するフック部材からなるため、相対的に剛性の高いフック部材によって支持体側係合部２３Ｄ、２４Ｄの第２方向Ｄ２における剛性を確保し易く、かかる支持体側係合部２３Ｄ、２４Ｄに係合固定される使い捨ておむつ１Ｄを動物の前後方向ＤＦに更に縮み難くすることができる。
したがって、本第５実施形態の使い捨ておむつ１Ｄと支持体２Ｄとを備えた動物用のおむつセット３Ｄは、動物の排泄物の漏出をより安定的且つ確実に生じ難くすることができる。
【０１３８】
なお、本第５実施形態の使い捨ておむつ１Ｄにおいては、長手方向Ｌの一方側の係合部１７Ｄ及び他方側の係合部１８Ｄの各々は、裏面シート１２の胴体非対向面Ｆ２側に配置されたループ部材等の受容部材（すなわち、裏面シート１２とは別部材の受容部材）によって構成されていてもよい。
【０１３９】
＜第６実施形態＞
次に、本発明の第６実施形態に係る使い捨ておむつ１Ｅについて、図面を参照しながら説明する。図１７は、本発明の第６実施形態に係る使い捨ておむつ１Ｅを、展開した状態で胴体対向面Ｆ１側から厚さ方向Ｔに見た平面図であり、図１８は、使い捨ておむつ１Ｅを動物の背部側から支持するための支持体２Ｅを、展開した状態で胴体非対向面Ｓ２側から厚さ方向ＤＴに見た平面図である。さらに、図１９は、使い捨ておむつ１Ｅを支持体２Ｅに固定した状態を模式的に示す斜視図である。
【０１４０】
本第６実施形態の使い捨ておむつ１Ｅは、図１７に示すように、長手方向Ｌの一方側の係合部１７Ｅ及び他方側の係合部１８Ｅの各々が、一対のサイドシート１４、１４’の胴体対向面Ｆ１側に位置し且つ長手方向Ｌの一方側端部１５及び他方側端部１６の各々において幅方向Ｗに延在するように配置されたループ部材等の受容部材によって構成されていること以外は、上述の第２実施形態の使い捨ておむつ１Ａと同様の構成を備えている。
【０１４１】
一方、支持体２Ｅは、図１８に示すように、第１方向Ｄ１の一方側の支持体側係合部２３Ｅ及び他方側の支持体側係合部２４Ｅの各々が、支持体２Ｅの胴体非対向面Ｓ２側に位置し且つ第１方向Ｄ１の一方側端部２５及び他方側端部２６の各々において第２方向Ｄ２に延在するように配置されたフック部材によって構成されている。すなわち、支持体２Ｅは、第１方向Ｄ１の一方側の支持体側係合部２３Ｅ及び他方側の支持体側係合部２４Ｅの各々がフック部材によって構成されていること以外は、上述の支持体２Ａと同様の構成を備えている。
したがって、本第６実施形態の使い捨ておむつ１Ｅと支持体２Ｅとを備えた動物用のおむつセット３Ｅにおいては、図１９に示すように、上述の第２実施形態の使い捨ておむつ１Ａと支持体２Ａとを備えた動物用のおむつセット３Ａと同様にして、支持体２Ｅの胴体非対向面Ｓ２に配置された第１方向Ｄ１の一方側の支持体側係合部２３Ｅ（フック部材）に対して、使い捨ておむつ１Ｅの胴体対向面Ｆ１に配置された長手方向Ｌの一方側の係合部１７Ｅ（受容部材）が係合し、支持体２Ｅの胴体非対向面Ｓ２に配置された第１方向Ｄ１の他方側の支持体側係合部２４Ｅ（フック部材）に対して、使い捨ておむつ１Ｅの胴体対向面Ｆ１に配置された長手方向Ｌの他方側の係合部１８Ｅ（受容部材）が係合することにより、使い捨ておむつ１Ｅと支持体２Ｅとが動物の胴体に装着される。
【０１４２】
本第６実施形態の使い捨ておむつ１Ｅと支持体２Ｅとを備えた動物用のおむつセット３Ｅにおいては、支持体２Ｅが第１方向Ｄ１の両端部（すなわち、第１方向Ｄ１の一方側端部２５及び他方側端部２６の各々）の胴体非対向面Ｓ２において支持体側係合部２３Ｅ、２４Ｅを有しているため、使い捨ておむつ１Ｅと支持体２Ｅを動物の胴体に装着する際に、支持体２Ｅを動物の背部に配置してから、使い捨ておむつ１Ｅを動物の腹部から胴周りに沿わせて配置し、使い捨ておむつ１Ｅの各係合部１７Ｅ、１８Ｅを支持体２Ｅの胴体非対向面Ｓ２に係合させることとなり、動物の毛を支持体２Ｅで押さえながら使い捨ておむつ１Ｅを係合固定することで、使い捨ておむつ１Ｅと支持体２Ｅの係合部分に動物の毛を巻き込まないようにして使い捨ておむつ１Ｅを動物の腹部に装着することができる。
さらに、上述の動物用のおむつセット３Ｅにおいては、支持体側係合部２３Ｅ、２４Ｅの各々が第２方向Ｄ２（すなわち、動物の前後方向ＤＦ）に延在するフック部材からなるため、相対的に剛性の高いフック部材によって支持体側係合部２３Ｅ、２４Ｅの第２方向Ｄ２における剛性を確保し易く、かかる支持体側係合部２３Ｅ、２４Ｅに係合固定される使い捨ておむつ１Ｅを動物の前後方向ＤＦに更に縮み難くすることができる。
したがって、本第６実施形態の使い捨ておむつ１Ｅと支持体２Ｅとを備えた動物用のおむつセット３Ｅは、使い捨ておむつ１Ｅを動物の腹部に対してより精度よく、より的確に装着することができ、動物の排泄物の漏出をより一層生じ難くすることができる。
【０１４３】
なお、本第６実施形態の使い捨ておむつ１Ｅにおいては、長手方向Ｌの一方側の係合部１７Ｅ及び他方側の係合部１８Ｅの各々は、受容部材である不織布からなる表面シート１１乃至一対のサイドシート１４、１４’の一部として、それぞれ使い捨ておむつ１Ｅの胴体対向面Ｆ１に配置されていてもよい。
【０１４４】
さらに、本発明においては、吸収性物品と支持体との固定形態として、以下に例示的に挙げる本発明の更に別の実施形態（第７実施形態乃至第１１実施形態）のような固定形態も採用することができる。
なお、以下に、本発明の更に別の実施形態（第７実施形態乃至第１１実施形態）に係る動物用の使い捨ておむつ及びそれを用いた動物用のおむつセットについて説明するが、使い捨ておむつの各係合部及び支持体の各支持体側係合部の配置形態以外は、作用効果を含め、上述の各実施形態と同様であるため、これら第７実施形態乃至第１１実施形態に係る使い捨ておむつ及びそれを用いたおむつセットについては、図面を用いずに簡略的に説明する。
【０１４５】
本発明の第７実施形態に係る使い捨ておむつは、長手方向の一方側の係合部が、使い捨ておむつの胴体非対向面側に位置し且つ長手方向の一方側端部において幅方向に延在するように配置されたフック部材によって構成され、長手方向の他方側の係合部が、使い捨ておむつの胴体対向面において長手方向の他方側端部に配置された受容部材によって構成されている。
一方、支持体は、第１方向の一方側の支持体側係合部が、支持体の胴体対向面において第１方向の一方側端部に配置された受容部材によって構成され、第１方向の他方側の支持体側係合部が、支持体の胴体非対向面側に位置し且つ第１方向の他方側端部において第２方向に延在するように配置されたフック部材によって構成されている。
したがって、本第７実施形態の使い捨ておむつと支持体とを備えた動物用のおむつセットにおいては、支持体の胴体対向面に配置された第１方向の一方側の支持体側係合部（受容部材）に対して、使い捨ておむつの胴体非対向面に配置された長手方向の一方側の係合部（フック部材）が係合し、支持体の胴体非対向面に配置された第１方向の他方側の支持体側係合部（フック部材）に対して、使い捨ておむつの胴体対向面に配置された長手方向の他方側の係合部（受容部材）が係合することにより、使い捨ておむつと支持体とが動物の胴体に装着される。
【０１４６】
また、本発明の第８実施形態に係る使い捨ておむつは、長手方向の一方側の係合部が、使い捨ておむつの胴体対向面側に位置し且つ長手方向の一方側端部において幅方向に延在するように配置されたフック部材によって構成され、長手方向の他方側の係合部が、使い捨ておむつの胴体対向面において長手方向の他方側端部に配置された受容部材によって構成されている。
一方、支持体は、第１方向の一方側の支持体側係合部が、支持体の胴体非対向面において第１方向の一方側端部に配置された受容部材によって構成され、第１方向の他方側の支持体側係合部が、支持体の胴体非対向面側に位置し且つ第１方向の他方側端部において第２方向に延在するように配置されたフック部材によって構成されている。
したがって、本第８実施形態の使い捨ておむつと支持体とを備えた動物用のおむつセットにおいては、支持体の胴体非対向面に配置された第１方向の一方側の支持体側係合部（受容部材）に対して、使い捨ておむつの胴体対向面に配置された長手方向の一方側の係合部（フック部材）が係合し、支持体の胴体非対向面に配置された第１方向の他方側の支持体側係合部（フック部材）に対して、使い捨ておむつの胴体対向面に配置された長手方向の他方側の係合部（受容部材）が係合することにより、使い捨ておむつと支持体とが動物の胴体に装着される。
【０１４７】
また、本発明の第９実施形態に係る使い捨ておむつは、長手方向の一方側の係合部が、使い捨ておむつの胴体非対向面において長手方向の一方側端部に配置された受容部材によって構成され、長手方向の他方側の係合部が、使い捨ておむつの胴体非対向面側に位置し且つ長手方向の他方側端部において幅方向に延在するように配置されたフック部材によって構成されている。
一方、支持体は、第１方向の一方側の支持体側係合部が、支持体の胴体非対向面側に位置し且つ第１方向の一方側端部において第２方向に延在するように配置されたフック部材によって構成され、第１方向の他方側の支持体側係合部が、支持体の胴体対向面において第１方向の他方側端部に配置された受容部材によって構成されている。
したがって、本第９実施形態の使い捨ておむつと支持体とを備えた動物用のおむつセットにおいては、支持体の胴体非対向面に配置された第１方向の一方側の支持体側係合部（フック部材）に対して、使い捨ておむつの胴体非対向面に配置された長手方向の一方側の係合部（受容部材）が係合し、支持体の胴体対向面に配置された第１方向の他方側の支持体側係合部（受容部材）に対して、使い捨ておむつの胴体非対向面に配置された長手方向の他方側の係合部（フック部材）が係合することにより、使い捨ておむつと支持体とが動物の胴体に装着される。
【０１４８】
また、本発明の第１０実施形態に係る使い捨ておむつは、長手方向の一方側の係合部が、使い捨ておむつの胴体対向面側に位置し且つ長手方向の一方側端部において幅方向に延在するように配置されたフック部材によって構成され、長手方向の他方側の係合部が、使い捨ておむつの胴体非対向面において長手方向の他方側端部に配置された受容部材によって構成されている。
一方、支持体は、第１方向の一方側の支持体側係合部が、支持体の胴体対向面において第１方向の一方側端部に配置された受容部材によって構成され、第１方向の他方側の支持体側係合部が、支持体の胴体非対向面側に位置し且つ第１方向の他方側端部において第２方向に延在するように配置されたフック部材によって構成されている。
したがって、本第１０実施形態の使い捨ておむつと支持体とを備えた動物用のおむつセットにおいては、支持体の胴体対向面に配置された第１方向の一方側の支持体側係合部（受容部材）に対して、使い捨ておむつの胴体対向面に配置された長手方向の一方側の係合部（フック部材）が係合し、支持体の胴体非対向面に配置された第１方向の他方側の支持体側係合部（フック部材）に対して、使い捨ておむつの胴体非対向面に配置された長手方向の他方側の係合部（受容部材）が係合することにより、使い捨ておむつと支持体とが動物の胴体に装着される。
【０１４９】
さらに、本発明の第１１実施形態に係る使い捨ておむつは、長手方向の一方側の係合部が、使い捨ておむつの胴体非対向面において長手方向の一方側端部に配置された受容部材によって構成され、長手方向の他方側の係合部が、使い捨ておむつの胴体対向面において長手方向の他方側端部に配置された受容部材によって構成されている。
一方、支持体は、第１方向の一方側の支持体側係合部が、支持体の胴体対向面側に位置し且つ第１方向の一方側端部において第２方向に延在するように配置されたフック部材によって構成され、第１方向の他方側の支持体側係合部が、支持体の胴体非対向面側に位置し且つ第１方向の他方側端部において第２方向に延在するように配置されたフック部材によって構成されている。
したがって、本第１１実施形態の使い捨ておむつと支持体とを備えた動物用のおむつセットにおいては、支持体の胴体対向面に配置された第１方向の一方側の支持体側係合部（フック部材）に対して、使い捨ておむつの胴体非対向面に配置された長手方向の一方側の係合部（受容部材）が係合し、支持体の胴体非対向面に配置された第１方向の他方側の支持体側係合部（フック部材）に対して、使い捨ておむつの胴体対向面に配置された長手方向の他方側の係合部（受容部材）が係合することにより、使い捨ておむつと支持体とが動物の胴体に装着される。
【０１５０】
なお、上述の第７実施形態乃至第１１実施形態においても、使い捨ておむつの各係合部及び支持体の各支持体側係合部として用いられる受容部材は、上述の第１実施形態乃至第６実施形態と同様に、それが設けられる面（すなわち、胴体対向面又は胴体非対向面）を形成する部材（例えば、一対のサイドシート、表面シート、裏面シート、内側表面材、外側表面材等）と一体に構成されていても、別部材として設けられていてもよい。
【０１５１】
本発明の動物用の吸収性物品及び排泄物処理セットは、上述の各実施形態等に制限されることなく、本発明の目的、趣旨を逸脱しない範囲内において、適宜組み合わせや代替、変更等が可能である。なお、本明細書において、「第１」、「第２」等の序数は、当該序数が付された事項を区別するためのものであり、各事項の順序や優先度、重要度等を意味するものではない。
【符号の説明】
【０１５２】
１    使い捨ておむつ（吸収性物品の一例）
１１    表面シート
１２    裏面シート
１３    吸収体
１４    幅方向の一方側のサイドシート
１４’    幅方向の他方側のサイドシート
１５    長手方向の一方側端部
１６    長手方向の他方側端部
１７    長手方向の一方側の係合部
１８    長手方向の他方側の係合部
１９    幅方向の一方側端部
１９’    幅方向の他方側端部
２    支持体
２１    内側表面材
２２    外側表面材
２３    第１方向の一方側の支持体側係合部
２４    第１方向の他方側の支持体側係合部
２５    第１方向の一方側端部
２６    第１方向の他方側端部
２７    係合部剛性補強部材
２８    第１方向剛性補強部材
２９    傾斜部
３    動物用のおむつセット
Ａ    係合部の幅方向長さ
Ｂ    吸収体の幅方向長さ
【図１】
2019110861.tif 000003
【図２】
2019110861.tif 000004
【図３】
2019110861.tif 000005
【図４】
2019110861.tif 000006
【図５】
2019110861.tif 000007
【図６】
2019110861.tif 000008
【図７】
2019110861.tif 000009
【図８】
2019110861.tif 000010
【図９】
2019110861.tif 000011
【図１０】
2019110861.tif 000012
【図１１】
2019110861.tif 000013
【図１２】
2019110861.tif 000014
【図１３】
2019110861.tif 000015
【図１４】
2019110861.tif 000016
【図１５】
2019110861.tif 000017
【図１６】
2019110861.tif 000018
【図１７】
2019110861.tif 000019
【図１８】
2019110861.tif 000020
【図１９】
2019110861.tif 000021